(57)【要約】【課題】通信を効率的に行うことができる端末装置、基地局装置、通信方法、集積回路を提供すること。【解決手段】端末装置が、データ無線ベアラ（ＤＲＢ）を解放するメッセージを受信する受信部と、前記メッセージに第１の情報が含まれない場合に、前記メッセージで指示されたＤＲＢが解放されたことと、前記解放されたＤＲＢのＥＰＳベアラ識別子とをＮＡＳ層に通知し、前記メッセージに前記第１の情報が含まれる場合に、前記メッセージで指示されたＤＲＢが解放されたことと、前記解放されたＤＲＢのＥＰＳベアラ識別子とを前記ＮＡＳ層に通知しない処理部とを備える。【選択図】図６
2019121835.tif 000002
【特許請求の範囲】
【請求項１】
端末装置であって
データ無線ベアラ（ＤＲＢ）を解放するメッセージを受信する受信部と、
前記メッセージに第１の情報が含まれない場合に、前記メッセージで指示されたＤＲＢが解放されたことと、前記解放されたＤＲＢのＥＰＳベアラ識別子とをＮＡＳ層に通知し、
前記メッセージに前記第１の情報が含まれる場合に、前記メッセージで指示されたＤＲＢが解放されたことと、前記解放されたＤＲＢのＥＰＳベアラ識別子とを前記ＮＡＳ層に通知しない処理部とを備える端末装置。
【請求項２】
前記第１の情報は、
前記メッセージがＰＤＣＰ層のバージョン変更であることを示す請求項１記載の端末装置
【請求項３】
前記第１の情報は、
前記メッセージで指示されたＤＲＢが解放されたことと、前記解放されたＤＲＢのＥＰＳベアラ識別子とをＮＡＳ層に通知しないことを指示する情報である請求項１記載の端末装置
【請求項４】
端末装置と通信する基地局装置であって
データ無線ベアラ（ＤＲＢ）を解放するメッセージを送信する送信部と、
前記メッセージで指示されたＤＲＢが解放されたことと、前記解放されたＤＲＢのＥＰＳベアラ識別子とを前記端末装置のＮＡＳ層に通知させるか否かを指示する第１の情報を前記メッセージに含める処理部とを備える基地局装置。
【請求項５】
端末装置に適用される通信方法であって
データ無線ベアラ（ＤＲＢ）を解放するメッセージを受信するステップと、
前記メッセージに第１の情報が含まれない場合に、前記メッセージで指示されたＤＲＢが解放されたことと、前記解放されたＤＲＢのＥＰＳベアラ識別子とをＮＡＳ層に通知し、
前記メッセージに前記第１の情報が含まれる場合に、前記メッセージで指示されたＤＲＢが解放されたことと、前記解放されたＤＲＢのＥＰＳベアラ識別子とを前記ＮＡＳ層に通知しないステップとを備える通信方法。
【請求項６】
端末装置と通信する基地局装置に適用される通信方法であって
データ無線ベアラ（ＤＲＢ）を解放するメッセージを送信するステップと、
前記メッセージで指示されたＤＲＢが解放されたことと、前記解放されたＤＲＢのＥＰＳベアラ識別子とを前記端末装置のＮＡＳ層に通知させるか否かを指示する第１の情報を前記メッセージに含めるステップとを含む通信方法。
【請求項７】
端末装置に実装される集積回路であって
データ無線ベアラ（ＤＲＢ）を解放するメッセージを受信する機能と、
前記メッセージに第１の情報が含まれない場合に、前記メッセージで指示されたＤＲＢが解放されたことと、前記解放されたＤＲＢのＥＰＳベアラ識別子とをＮＡＳ層に通知し、
前記メッセージに前記第１の情報が含まれる場合に、前記メッセージで指示されたＤＲＢが解放されたことと、前記解放されたＤＲＢのＥＰＳベアラ識別子とを前記ＮＡＳ層に通知しない機能とを前記端末装置に対して発揮させる集積回路。
【請求項８】
端末装置と通信する基地局装置に実装される集積回路であって
データ無線ベアラ（ＤＲＢ）を解放するメッセージを送信する機能と、
前記メッセージで指示されたＤＲＢが解放されたことと、前記解放されたＤＲＢのＥＰＳベアラ識別子とを前記端末装置のＮＡＳ層に通知させるか否かを指示する第１の情報を前記メッセージに含める機能とを前記基地局装置に対して発揮させる集積回路。
【発明の詳細な説明】
【技術分野】
【０００１】
本発明は、端末装置、基地局装置、通信方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）、及びコアネットワーク（以下、「Ｅｖｏｌｖｅｄ  Ｐａｃｋｅｔ  Ｃｏｒｅ：ＥＰＣ」）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。また第５世代セルラーシステムに向けたコアネットワークである、５ＧＣ（５  Ｇｅｎｅｒａｔｉｏｎ  Ｃｏｒｅ  Ｎｅｔｗｏｒｋ）の検討も行われている（非特許文献２）。
【先行技術文献】
【非特許文献】
【０００４】
【非特許文献１】３ＧＰＰ  ＲＰ−１７０８５５，”Ｗｏｒｋ  Ｉｔｅｍ  ｏｎ  Ｎｅｗ  Ｒａｄｉｏ  （ＮＲ）  Ａｃｃｅｓｓ Ｔｅｃｈｎｏｌｏｇｙ”
【非特許文献２】３ＧＰＰ  ＴＳ  ２３．５０１,“Ｓｙｓｔｅｍ  Ａｒｃｈｉｔｅｃｔｕｒｅ  ｆｏｒ  ｔｈｅ  ５Ｇ  Ｓｙｓｔｅｍ；  Ｓｔａｇｅ  ２”
【非特許文献３】３ＧＰＰ  ＴＳ  ３６．３００,  “Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  Ｎｅｔｗｏｒｋ  （Ｅ−ＵＴＲＡＮ）；Ｏｖｅｒａｌｌ  ｄｅｓｃｒｉｐｔｉｏｎ；  Ｓｔａｇｅ  ２”
【非特許文献４】３ＧＰＰ  ＴＳ  ３６．３３１,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献５】３ＧＰＰ  ＴＳ  ３６．３２３,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献６】３ＧＰＰ  ＴＳ  ３６．３２２,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献７】３ＧＰＰ  ＴＳ  ３６．３２１,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献８】３ＧＰＰ  ＴＳ  ３７．３７４,“ＥｖｏｌｖｅｄＵｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  ＮＲ;  Ｍｕｌｔｉ−Ｃｏｎｎｅｃｔｉｖｉｔｙ;  Ｓｔａｇｅ  ２”
【非特許文献９】３ＧＰＰ  ＴＳ  ３８．３００,  “ＮＲ；ＮＲ  ａｎｄ  ＮＧ−ＲＡＮ  Ｏｖｅｒａｌｌ  ｄｅｓｃｒｉｐｔｉｏｎ；  Ｓｔａｇｅ  ２”
【非特許文献１０】３ＧＰＰ  ＴＳ  ３８．３３１,“ＮＲ；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献１１】３ＧＰＰ  ＴＳ  ３８．３２３,“ＮＲ；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献１２】３ＧＰＰ  ＴＳ  ３８．３２２,“ＮＲ；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献１３】３ＧＰＰ  ＴＳ  ３８．３２１,“ＮＲ；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献１４】３ＧＰＰ  ＴＳ  ２３．４０１  ｖ１４．３．０，“Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ”
【非特許文献１５】３ＧＰＰ  ＴＳ  ２３．５０２,“Ｐｒｏｃｅｄｕｒｅ  ｆｏｒ  ５Ｇ  Ｓｙｓｔｅｍ；  Ｓｔａｇｅ  ２”
【非特許文献１６】３ＧＰＰ  ＴＳ  ３８．３２４,  “ＮＲ；Ｓｅｒｖｉｃｅ  Ｄａｔａ  Ａｄａｐｔａｔｉｏｎ  Ｐｒｏｔｏｃｏｌ  （ＳＤＡＰ）  ｓｐｅｃｉｆｉｃａｔｉｏｎ”
【発明の概要】
【発明が解決しようとする課題】
【０００５】
ＮＲの技術検討の一つとして、Ｅ−ＵＴＲＡとＮＲの両方のＲＡＴ（Ｒａｄｉｏ  Ａｃｃｅｓｓ  Ｔｅｃｈｎｏｌｏｇｙ）のセルをＲＡＴ毎にセルグループ化してＵＥに割り当て、端末装置と１つ以上の基地局装置とが通信する仕組み（ＭＲ−ＤＣ：Ｍｕｌｔｉ−ＲＡＴ  Ｄｕａｌ  Ｃｏｎｎｅｃｔｉｖｉｔｙ）が検討されている（非特許文献８）。
【０００６】
しかしながら、Ｅ−ＵＴＲＡとＮＲとで利用する通信プロトコルのフォーマットや機能が異なるため、ＲＡＴとしてＥ−ＵＴＲＡのみを用いる従来のＬＴＥでのＤｕａｌ  Ｃｏｎｎｅｃｔｉｖｉｔｙに比べ、プロトコル処理が複雑になり、基地局装置と端末装置との通信を効率的に行うことができないという課題があった。
【０００７】
本発明の一態様は、上記した事情に鑑みてなされたもので、通信を効率的に行うことができる端末装置、基地局装置、通信方法、集積回路を提供することを目的の一つとする。
【課題を解決するための手段】
【０００８】
上記の目的を達成するために、本発明の一態様は、以下のような手段を講じた。すなわち、本発明の一態様は、端末装置であって、データ無線ベアラ（ＤＲＢ）を解放するメッセージを受信する受信部と、前記メッセージに第１の情報が含まれない場合に、前記メッセージで指示されたＤＲＢが解放されたことと、前記解放されたＤＲＢのＥＰＳベアラ識別子とをＮＡＳ層に通知し、前記メッセージに前記第１の情報が含まれる場合に、前記メッセージで指示されたＤＲＢが解放されたことと、前記解放されたＤＲＢのＥＰＳベアラ識別子とを前記ＮＡＳ層に通知しない処理部とを備える。
【０００９】
また、本発明の一態様は、端末装置と通信する基地局装置であって、データ無線ベアラ（ＤＲＢ）を解放するメッセージを送信する送信部と、前記メッセージで指示されたＤＲ
Ｂが解放されたことと、前記解放されたＤＲＢのＥＰＳベアラ識別子とを前記端末装置のＮＡＳ層に通知させるか否かを指示する第１の情報を前記メッセージに含める処理部とを備える。
【００１０】
また、本発明の一態様は、端末装置に適用される通信方法であって、データ無線ベアラ（ＤＲＢ）を解放するメッセージを受信するステップと、前記メッセージに第１の情報が含まれない場合に、前記メッセージで指示されたＤＲＢが解放されたことと、前記解放されたＤＲＢのＥＰＳベアラ識別子とをＮＡＳ層に通知し、前記メッセージに前記第１の情報が含まれる場合に、前記メッセージで指示されたＤＲＢが解放されたことと、前記解放されたＤＲＢのＥＰＳベアラ識別子とを前記ＮＡＳ層に通知しないステップとを備える。
【００１１】
また、本発明の一態様は、端末装置と通信する基地局装置に適用される通信方法であって、データ無線ベアラ（ＤＲＢ）を解放するメッセージを送信するステップと、前記メッセージで指示されたＤＲＢが解放されたことと、前記解放されたＤＲＢのＥＰＳベアラ識別子とを前記端末装置のＮＡＳ層に通知させるか否かを指示する第１の情報を前記メッセージに含めるステップとを含む。
【００１２】
また、本発明の一態様は、端末装置に実装される集積回路であって、データ無線ベアラ（ＤＲＢ）を解放するメッセージを受信する機能と、前記メッセージに第１の情報が含まれない場合に、前記メッセージで指示されたＤＲＢが解放されたことと、前記解放されたＤＲＢのＥＰＳベアラ識別子とをＮＡＳ層に通知し、前記メッセージに前記第１の情報が含まれる場合に、前記メッセージで指示されたＤＲＢが解放されたことと、前記解放されたＤＲＢのＥＰＳベアラ識別子とを前記ＮＡＳ層に通知しない機能とを前記端末装置に対して発揮させる。
【００１３】
また、本発明の一態様は、端末装置と通信する基地局装置に実装される集積回路であって、データ無線ベアラ（ＤＲＢ）を解放するメッセージを送信する機能と、前記メッセージで指示されたＤＲＢが解放されたことと、前記解放されたＤＲＢのＥＰＳベアラ識別子とを前記端末装置のＮＡＳ層に通知させるか否かを指示する第１の情報を前記メッセージに含める機能とを前記基地局装置に対して発揮させる。
【００１４】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１５】
本発明の一態様によれば、基地局装置は、ＤＲＢ設定に必要な情報を端末装置に通知でき、端末装置は、ＤＲＢ設定を正しく行う事ができ、効率的に通信を行うことができる。
【図面の簡単な説明】
【００１６】
【図１】本発明の実施の形態に係る通信システムの概略図。
【図２】本発明の実施の形態における、Ｅ−ＵＴＲＡにおける端末装置と基地局装置のＵＰ及びＣＰのプロトコルスタック図。
【図３】本発明の実施の形態における、ＮＲにおける端末装置と基地局装置のＵＰ及びＣＰのプロトコルスタック図。
【図４】本発明の各実施の形態におけるＲＲＣコネクション再設定手順および／またはＲＲＣ再設定手順のフローの一例を示す図。
【図５】本発明の実施の形態における端末装置の構成を示すブロック図。
【図６】本発明の実施の形態における基地局装置の構成を示すブロック図。
【図７】本発明の各実施の形態におけるＬＴＥのＤＲＢ設定に係る情報、及び情報のＡＳＮ．１（Ａｂｓｔｒａｃｔ  Ｓｙｎｔａｘ  Ｎｏｔａｔｉｏｎ  Ｏｎｅ）記述の一例を示す図。
【図８】本発明の各実施の形態におけるＮＲのＤＲＢ設定に係る情報、及び情報のＡＳＮ．１（Ａｂｓｔｒａｃｔ  Ｓｙｎｔａｘ  Ｎｏｔａｔｉｏｎ  Ｏｎｅ）記述の一例を示す図。
【図９】本発明の実施の形態における処理方法の一例。
【図１０】本発明の実施の形態における処理方法の別の一例。
【図１１】本発明の各実施の形態におけるＮＲのＤＲＢ設定に係る情報、及び情報のＡＳＮ．１（Ａｂｓｔｒａｃｔ  Ｓｙｎｔａｘ  Ｎｏｔａｔｉｏｎ  Ｏｎｅ）記述の別の一例を示す図。
【図１２】本発明の実施の形態における処理方法の別の一例。
【図１３】本発明の実施の形態における処理方法の別の一例。
【図１４】本発明の各実施の形態におけるＮＲのＤＲＢ設定に係る情報、及び情報のＡＳＮ．１（Ａｂｓｔｒａｃｔ  Ｓｙｎｔａｘ  Ｎｏｔａｔｉｏｎ  Ｏｎｅ）記述の別の一例を示す図。
【図１５】本発明の実施の形態における処理方法の別の一例。
【図１６】本発明の各実施の形態におけるＮＲのＤＲＢ設定に係る情報、及び情報のＡＳＮ．１（Ａｂｓｔｒａｃｔ  Ｓｙｎｔａｘ  Ｎｏｔａｔｉｏｎ  Ｏｎｅ）記述の別の一例を示す図。
【発明を実施するための形態】
【００１７】
以下、本発明の実施の形態について、図面を参照して詳細に説明する。
【００１８】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＤｕａｌ  ｃｏｎｎｅｃｔｉｖｉｔｙで接続可能なＬＴＥは、従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。
【００１９】
図１は本発明の実施の形態に係る通信システムの概略図である。
【００２０】
Ｅ−ＵＴＲＡ１００は非特許文献３等に記載の無線アクセス技術であり、１つ又は複数の周波数帯域で構成するセルグループ（Ｃｅｌｌ  Ｇｒｏｕｐ：ＣＧ）から成る。ｅＮＢ（Ｅ−ＵＴＲＡＮ  Ｎｏｄｅ  Ｂ）１０２は、Ｅ−ＵＴＲＡの基地局装置である。ＥＰＣ（Ｅｖｏｌｖｅｄ  Ｐａｃｋｅｔ  Ｃｏｒｅ）１０４は、非特許文献１４等に記載のコア網であり、Ｅ−ＵＴＲＡ用コア網として設計された。インタフェース１１２はｅＮＢ１０２とＥＰＣ１０４の間のインタフェース（ｉｎｔｅｒｆａｃｅ）であり、制御信号が通る制御プレーン（Ｃｏｎｔｒｏｌ  Ｐｌａｎｅ：ＣＰ）と、ユーザデータが通るユーザプレーン（Ｕｓｅｒ  Ｐｌａｎｅ：ＵＰ）が存在する。
【００２１】
ＮＲ１０６は現在３ＧＰＰにて検討している新しい無線アクセス技術であり、１つ又は複数の周波数帯域で構成するセルグループ（Ｃｅｌｌ  Ｇｒｏｕｐ：ＣＧ）から成る。ｇＮＢ（ｇ  Ｎｏｄｅ  Ｂ）１０８は、ＮＲの基地局装置である。５ＧＣ１１０は、現在３ＧＰＰにて検討しているＮＲ用の新しいコア網であり、非特許文献２等に記載される。
【００２２】
インタフェース１１４はｅＮＢ１０２と５ＧＣ１１０の間のインタフェース、インタフェース１１６はｇＮＢ１０８と５ＧＣ１１０の間のインタフェース、インタフェース１１８はｇＮＢ１０８とＥＰＣ１０４の間のインタフェース、インタフェース１２０はｅＮＢ
１０２とｇＮＢ１０８の間のインタフェース、インタフェース１２４はＥＰＣ１０４と５ＧＣ１１０間のインタフェースである。インタフェース１１４、インタフェース１１６、インタフェース１１８、インタフェース１２０、インタフェース１２４はＣＰのみ、又はＵＰのみ、又はＣＰ及びＵＰ両方を通すインタフェースであるが詳細は３ＧＰＰにおいて議論中である。また、インタフェース１１４、インタフェース１１６、インタフェース１１８、インタフェース１２０、インタフェース１２４は、通信事業者が提供する通信システムに応じて存在しない場合もある。
【００２３】
ＵＥ１２２はＮＲに対応、又はＥ−ＵＴＲＡ及びＮＲ両方に対応した端末装置である。
【００２４】
図２は本発明の実施の形態における、Ｅ−ＵＴＲＡ無線アクセスレイヤにおける端末装置と基地局装置のＵＰ及びＣＰのプロトコルスタック（Ｐｒｏｔｏｃｏｌ  Ｓｔａｃｋ）図である。
【００２５】
図２（Ａ）はＵＥ１２２がｅＮＢ１０２と通信を行う際に用いるＵＰのプロトコルスタック図である。
【００２６】
ＰＨＹ（Ｐｈｙｓｉｃａｌ  ｌａｙｅｒ）２００は、無線物理層であり、物理チャネル（Ｐｈｙｓｉｃａｌ  Ｃｈａｎｎｅｌ）を利用して上位層に伝送サービスを提供する。ＰＨＹ２００は、後述する上位のＭＡＣ（Ｍｅｄｉｕｍ  Ａｃｃｅｓｓ  Ｃｏｎｔｒｏｌ  ｌａｙｅｒ）２０２とトランスポートチャネル（Ｔｒａｎｓｐｏｒｔ  Ｃｈａｎｎｅｌ）で接続される。トランスポートチャネルを介して、ＭＡＣ２０２とＰＨＹ２００の間でデ−タが移動する。ＵＥ１２２とｅＮＢ１０２のＰＨＹ間において、無線物理チャネルを介してデ−タの送受信が行われる。
【００２７】
ＭＡＣ２０２は、多様な論理チャネル（Ｌｏｇｉｃａｌ  Ｃｈａｎｎｅｌ）を多様なトランスポートチャネルにマッピングを行う。ＭＡＣ２０２は、後述する上位のＲＬＣ（Ｒａｄｉｏ  Ｌｉｎｋ  Ｃｏｎｔｒｏｌ  ｌａｙｅｒ）２０４と、論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ２０２は、間欠受送信（ＤＲＸ・ＤＴＸ）を行うためにＰＨＹ２００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持つ（非特許文献７）。
【００２８】
ＲＬＣ２０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層が適切にデ−タ送信できるようにデ−タサイズを調節する。また、ＲＬＣ２００は、各デ−タが要求するＱｏＳ（Ｑｕａｌｉｔｙ  ｏｆ  Ｓｅｒｖｉｃｅ）を保証するための機能も持つ。すなわち、ＲＬＣ２０４は、デ−タの再送制御等の機能を持つ（非特許文献６）。
【００２９】
ＰＤＣＰ２０６は、ユーザデータであるＩＰパケット（ＩＰ  Ｐａｃｋｅｔ）を無線区間で効率的に伝送するために、不要な制御情報の圧縮を行うヘッダ圧縮機能を持ってもよい。また、ＰＤＣＰ２０６は、デ−タの暗号化の機能も持ってもよい（非特許文献５）。
【００３０】
なお、ＭＡＣ２０２、ＲＬＣ２０４、ＰＤＣＰ２０６において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵと呼ぶ。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵと呼ぶ。
【００３１】
図２（Ｂ）はＵＥ１２２がｅＮＢ１０２と通信を行う際に用いるＣＰのプロトコルスタック図である。
【００３２】
ＣＰのプロトコルスタックには、ＰＨＹ２００、ＭＡＣ２０２、ＲＬＣ２０４、ＰＤＣＰ２０６に加え、ＲＲＣ（Ｒａｄｉｏ  Ｒｅｓｏｕｒｃｅ  Ｃｏｎｔｒｏｌ  ｌａｙｅｒ）２０８が存在する。ＲＲＣ２０８は、無線ベアラ（Ｒａｄｉｏ  Ｂｅａｒｅｒ：ＲＢ）の設定・再設定を行い、論理チャネル、トランスポートチャネル及び物理チャネルの制御を行う。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｅＮＢ１０２とＵＥ１２２のＲＲＣ２０８間で各ＲＢの設定が行われてもよい（非特許文献４）。
【００３３】
前述のＭＡＣ２０２、ＲＬＣ２０４、ＰＤＣＰ２０６、及びＲＲＣ２０８の機能分類は一例であり、各機能の一部あるいは全部が実装されなくてもよい。また、各層の機能の一部あるいは全部が他の層に含まれてもよい。
【００３４】
図３は本発明の実施の形態における、ＮＲ無線アクセスレイヤにおける端末装置と基地局装置のＵＰ及びＣＰのプロトコルスタック（Ｐｒｏｔｏｃｏｌ  Ｓｔａｃｋ）図である。
【００３５】
図３（Ａ）はＵＥ１２２がｇＮＢ１０８と通信を行う際に用いるＵＰのプロトコルスタック図である。
【００３６】
ＰＨＹ（Ｐｈｙｓｉｃａｌ  ｌａｙｅｒ）３００は、ＮＲの無線物理層であり、物理チャネル（Ｐｈｙｓｉｃａｌ  Ｃｈａｎｎｅｌ）を利用して上位層に伝送サービスを提供してもよい。ＰＨＹ３００は、後述する上位のＭＡＣ（Ｍｅｄｉｕｍ  Ａｃｃｅｓｓ  Ｃｏｎｔｒｏｌ  ｌａｙｅｒ）３０２とトランスポートチャネル（Ｔｒａｎｓｐｏｒｔ  Ｃｈａｎｎｅｌ）で接続されてもよい。トランスポートチャネルを介して、ＭＡＣ３０２とＰＨＹ３００の間でデ−タが移動してもよい。ＵＥ１２２とｇＮＢ１０８のＰＨＹ間において、無線物理チャネルを介してデ−タの送受信が行われてもよい。詳細においてはＥ−ＵＴＲＡの無線物理層ＰＨＹ２００とは異なり、３ＧＰＰにおいて議論中である。
【００３７】
ＭＡＣ３０２は、多様な論理チャネル（Ｌｏｇｉｃａｌ  Ｃｈａｎｎｅｌ）を多様なトランスポートチャネルにマッピングを行ってもよい。ＭＡＣ３０２は、後述する上位のＲＬＣ（Ｒａｄｉｏ  Ｌｉｎｋ  Ｃｏｎｔｒｏｌ  ｌａｙｅｒ）３０４と、論理チャネルで接続されてもよい。論理チャネルは、伝送される情報の種類によって大きく分けられ、制御情報を伝送する制御チャネルとユ−ザ情報を伝送するトラフィックチャネルに分けられてもよい。ＭＡＣ３０２は、間欠受送信（ＤＲＸ・ＤＴＸ）を行うためにＰＨＹ３００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持ってもよい（非特許文献１３）。詳細においてはＥ−ＵＴＲＡのＭＡＣ２０２とは異なり、３ＧＰＰにおいて議論中である。
【００３８】
ＲＬＣ３０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層が適切にデ−タ送信できるようにデ−タサイズを調節してもよい。また、ＲＬＣ３０４は、各デ−タが要求するＱｏＳ（Ｑｕａｌｉｔｙ  ｏｆ  Ｓ
ｅｒｖｉｃｅ）を保証するための機能も持っても良い。すなわち、ＲＬＣ３０４は、デ−タの再送制御等の機能を持っても良い（非特許文献１２）。詳細においてはＥ−ＵＴＲＡのＲＬＣ２０４とは異なり、３ＧＰＰにおいて議論中である。
【００３９】
ＰＤＣＰ３０６は、ユーザデータであるＩＰパケット（ＩＰ  Ｐａｃｋｅｔ）を無線区間で効率的に伝送するために、不要な制御情報の圧縮を行うヘッダ圧縮機能を持ってもよい。また、ＰＤＣＰ３０６は、デ−タの暗号化の機能も持ってもよい（非特許文献１１）。詳細においてはＥ−ＵＴＲＡのＰＤＣＰ２０６とは異なり、３ＧＰＰにおいて議論中である。
【００４０】
ＳＤＡＰ（Ｓｅｒｖｉｃｅ  Ｄａｔａ  Ａｄａｐｔａｔｉｏｎ  Ｐｒｏｔｏｃｏｌ）３１０は、コアネットワークから基地局装置を介して端末装置に送られるダウンリンクのＱｏＳフローとＤＲＢとのマッピング（ｍａｐｐｉｎｇ）、及び端末装置から基地局装置を介してコアネットワークに送られるアップリンクのＱｏＳ情報フローと、ＤＲＢとのマッピングを行い、マッピングルール情報を格納する機能を持ってもよい（非特許文献１６）。ＱｏＳフローは同じＱｏＳポリシーによって処理される、一つ又は複数のサービスデータフロー（Ｓｅｒｖｉｃｅ  Ｄａｔａ  Ｆｌｏｗ：ＳＤＦ）から成る（非特許文献２）。またＳＤＡＰはダウンリンクＱｏＳフローの情報を基に、アップリンクのＱｏＳフローとＤＲＢとのマッピングを行う、リフレクティブＱｏＳ（Ｒｅｆｌｅｃｔｉｖｅ  ＱｏＳ）の機能を持っても良い（非特許文献２、非特許文献１６）。詳細においては３ＧＰＰにおいて議論中である。
【００４１】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＳＤＡＰの上位レイヤとなる（不図示）。また端末装置のＳＤＡＰにおいて、サービスデータフローとＱｏＳフローとの対応付けを行うレイヤも、ＳＤＡＰの上位レイヤとなる。
【００４２】
なお、ＭＡＣ３０２、ＲＬＣ３０４、ＰＤＣＰ３０６、ＳＤＡＰ３１０において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵ、ＳＤＡＰ  ＰＤＵと呼んでも良い。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵ、ＳＤＡＰ  ＳＤＵと呼んでも良い。
【００４３】
図３（Ｂ）はＵＥ１２２がｇＮＢ１０８と通信を行う際に用いるＣＰのプロトコルスタック図である。
【００４４】
ＣＰのプロトコルスタックには、ＰＨＹ３００、ＭＡＣ３０２、ＲＬＣ３０４、ＰＤＣＰ３０６に加え、ＲＲＣ（Ｒａｄｉｏ  Ｒｅｓｏｕｒｃｅ  Ｃｏｎｔｒｏｌ  ｌａｙｅｒ）３０８が存在する。ＲＲＣ３０８は、無線ベアラ（Ｒａｄｉｏ  Ｂｅａｒｅｒ：ＲＢ）の設定・再設定を行い、論理チャネル、トランスポートチャネル及び物理チャネルの制御を行っても良い。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｇＮＢ１０８とＵＥ１２２のＲＲＣ３０８間で各ＲＢの設定が行われてもよい（非特許文献１０）。
【００４５】
前述のＭＡＣ３０２、ＲＬＣ３０４、ＰＤＣＰ３０６、ＳＤＡＰ３１０、及びＲＲＣ３
０８の機能分類は一例であり、各機能の一部あるいは全部が実装されなくてもよい。また、各層の機能の一部あるいは全部が他の層に含まれてもよい。
【００４６】
なお、本発明の実施の形態では、以下Ｅ−ＵＴＲＡのプロトコルとＮＲのプロトコルを区別するため、ＭＡＣ２０２、ＲＬＣ２０４、ＰＤＣＰ２０６、及びＲＲＣ２０８を、それぞれＥ−ＵＴＲＡ用ＭＡＣ又はＬＴＥ用ＭＡＣ、Ｅ−ＵＴＲＡ用ＲＬＣ又はＬＴＥ用ＲＬＣ、Ｅ−ＵＴＲＡ用ＰＤＣＰ又はＬＴＥ用ＰＤＣＰ、及びＥ−ＵＴＲＡ用ＲＲＣ又はＬＴＥ用ＲＲＣと呼ぶ事もある。また、ＭＡＣ３０２、ＲＬＣ３０４、ＰＤＣＰ３０６、ＲＲＣ３０８を、それぞれＮＲ用ＭＡＣ、ＮＲ用ＲＬＣ、ＮＲ用ＲＬＣ、及びＮＲ用ＲＲＣと呼ぶ事もある。また、Ｅ−ＵＴＲＡ  ＰＤＣＰ又はＬＴＥ  ＰＤＣＰ、ＮＲ  ＰＤＣＰなどとスペースを用いて記述する場合もある。
【００４７】
また、図１に示す通り、ｅＮＢ１０２、ｇＮＢ１０８、ＥＰＣ１０４、５ＧＣ１１０は、インタフェース１１２、インタフェース１１６、インタフェース１１８、インタフェース１２０、及びインタフェース１１４を介して繋がってもよい。このため、多様な通信システムに対応するため、図２のＲＲＣ２０８は、図３のＲＲＣ３０８に置き換えられてもよい。また図２のＰＤＣＰ２０６は、図３のＰＤＣＰ３０６に置き換えられても良い。また、図３のＲＲＣ３０８は、図２のＲＲＣ２０８の機能を含んでも良い。また図３のＰＤＣＰ３０６は、図２のＰＤＣＰ２０６であっても良い。
【００４８】
図４は本発明の各実施の形態におけるＲＲＣコネクション再設定手順のフローの一例を示す図である。
【００４９】
ＲＲＣコネクション再設定手順（ＲＲＣ Ｃｏｎｎｅｃｔｉｏｎ  Ｒｅｃｏｎｆｉｇｕ
ｒａｔｉｏｎ）は、非特許文献４に記載の、ＬＴＥにおけるＲＢの確立、変更、及び解放、及びセカンダリセルの、変更、解放等を行う他、ハンドオーバ及び測定（Ｍｅｓｕｒｅｍｅｎｔ）等のために用いられる手順である。またＲＲＣコネクション再設定手順は、ＭＲ−ＤＣにおいて、特にコア網がＥＰＣ１０４で、マスターノードがｅＮＢ１０２である場合のＭＲ−ＤＣである、ＥＮ−ＤＣ（Ｅ−ＵＴＲＡ−ＮＲ  Ｄｕａｌ  Ｃｏｎｎｅｃｔｉｖｉｔｙ）、及びコア網が５ＧＣ１１０で、マスターノードがｅＮＢ１０２である場合のＭＲ−ＤＣである、ＮＧＥＮ−ＤＣ（ＮＧ−ＲＡＮ  Ｅ−ＵＴＲＡ−ＮＲ  Ｄｕａｌ  Ｃｏｎｎｅｃｔｉｖｉｔｙ）においては、ＲＲＣコネクション再設定手順は、ＬＴＥだけでなく、非特許文献１０に記載の、ＮＲにおけるＲＢの確立、変更、及び解放、及びセカンダリセルの、変更、解放等の一部を行う他、ハンドオーバ及び測定（Ｍｅｓｕｒｅｍｅｎｔ）等の一部を行うためにも用いられてよい。本発明の実施の形態において、ＮＲにおけるＲＢの確立、変更、及び解放、及びセルグループの追加、変更、解放、ハンドオーバ及び測定（Ｍｅｓｕｒｅｍｅｎｔ）等のために用いられ手順を、ＲＲＣコネクション再設定手順と呼ぶが、別の名称であっても良い。また本発明の実施の形態におけるＲＢの確立、変更、及び解放、及びセルグループの追加、変更、解放、ハンドオーバ及び測定（Ｍｅｓｕｒｅｍｅｎｔ）等の手順は、非特許文献１０に記載のＮＲにおける手順であっても良く、ＲＲＣ再設定手順という名称であっても良い。
【００５０】
図４の（Ａ）に示すように、ＲＲＣコネクション再設定手順において、ＵＥ１２２はｅＮＢ１０２よりＲＲＣコネクション再設定メッセージ（ＲＲＣＣｏｎｎｅｃｔｉｏｎＲｅｃｏｎｆｉｇｒａｔｉｏｎ）を受信し（ステップＳ４０１）、ＲＲＣコネクション再設定メッセージに含まれる情報に従って各種設定、例えばＤＲＢの設定などの処理を行う（ステップＳ４０２）。ステップＳ４０２の後、ＵＥ１２２はｅＮＢ１０２に、ＲＲＣコネクション再設定完了メッセージ（ＲＲＣＣｏｎｎｅｃｔｉｏｎＲｅｃｏｎｆｉｇｒａｔｉｏｎＣｏｍｐｌｅｔｅ）などを送っても良い（不図示）。
【００５１】
ＲＲＣ再設定手順（ＲＲＣ  Ｒｅｃｏｎｆｉｇｕｒａｔｉｏｎ）は、非特許文献１０に記載の、ＮＲにおけるＲＢの確立、変更、及び解放、及びセカンダリセルの、変更、解放等を行う他、ハンドオーバ及び測定（Ｍｅｓｕｒｅｍｅｎｔ）等のために用いられる手順である。本発明の各実施の形態において、ＮＲにおけるＲＢの確立、変更、及び解放、及びセルグループの追加、変更、解放、ハンドオーバ及び測定（Ｍｅｓｕｒｅｍｅｎｔ）等のために用いられ手順を、ＲＲＣ再設定手順と呼ぶが、別の名称であっても良い。また本発明の各実施の形態におけるＲＢの確立、変更、及び解放、及びセルグループの追加、変更、解放、ハンドオーバ及び測定（Ｍｅｓｕｒｅｍｅｎｔ）等の手順は、非特許文献４に記載のＥ−ＵＴＲＡにおける手順であっても良く、ＲＲＣコネクション再設定手順という名称であっても良い。
【００５２】
図４（Ｂ）に示すように、ＲＲＣ再設定手順において、ＵＥ１２２はｇＮＢ１０８よりＲＲＣ再設定メッセージ（ＲＲＣＲｅｃｏｎｆｉｇｒａｔｉｏｎ）を受信し（ステップＳ４０３）、ＲＲＣ再設定メッセージに含まれる情報に従って各種設定、例えばＤＲＢの設定などを行う（ステップＳ４０４）。ステップＳ４０４の後、ＵＥ１２２はｇＮＢ１０８に、ＲＲＣ再設定完了メッセージ（ＲＲＣＲｅｃｏｎｆｉｇｒａｔｉｏｎＣｏｍｐｌｅｔｅ）などを送っても良い（不図示）。
【００５３】
また、図４（Ｃ）に示すように、ｇＮＢ１０８からＵＥ１２２に送られるＲＲＣ再設定メッセージの一部あるいは全部の情報は、ｅＮＢ１０２に通知され（ステップＳ４０５）、ｅＮＢ１０２からＵＥ１２２に送られるＲＲＣコネクション再設定メッセージに情報がコンテナ等の形で含められてＵＥ１２２に送られてもよい（ステップＳ４０６）。ＵＥ１２２は、ＲＲＣコネクション再設定メッセージに含まれる情報に従ってＬＴＥ  ＲＲＣおよびＮＲ  ＲＲＣの各種設定、例えばＤＲＢの設定などの処理を行う（ステップＳ４０７）。ステップＳ４０７の後、ＵＥ１２２はｅＮＢ１０２に、ＲＲＣコネクション再設定完了メッセージ（ＲＲＣＣｏｎｎｅｃｔｉｏｎＲｅｃｏｎｆｉｇｒａｔｉｏｎＣｏｍｐｌｅｔｅ）などを送っても良い（不図示）。
【００５４】
また、ｅＮＢ１０２が、ＮＲの機能（例えばここではＮＲ  ＰＤＣＰエンティティ機能）を持つ場合には、ｅＮＢ１０２からＵＥ１２２に送られるＲＲＣコネクション再設定メッセージにの中に、ＮＲに関する設定の情報（ＮＲ  ＰＤＣＰエンティティの設定に関する情報など）がコンテナ等の形で含められて、ＵＥ１２２に送られてもよい。ＵＥ１２２は、ｅＮＢ１０２から受信したＲＲＣコネクション再設定メッセージの中に、ＮＲ  ＰＤＣＰエンティティの設定関する情報などの、ＮＲに関する設定の情報がコンテナ等の形で含まれる場合には、ＮＲ  ＲＲＣエンティティにてデコードし設定する。
【００５５】
図５は本発明の実施の形態における端末装置（ＵＥ１２２）の構成を示すブロック図である。なお、説明が煩雑になることを避けるために、図５では、本発明と密接に関連する主な構成部のみを示す。
【００５６】
図５に示すＵＥ１２２は、ｅＮＢ１０２および／またはｇＮＢ１０８よりＲＲＣ再設定メッセージを受信する受信部５００、及びメッセージの処理を行う処理部５０２を含んで構成される。
【００５７】
図６は本発明の実施の形態における基地局装置（ｅＮＢ１０２）の構成を示すブロック図である。なお、説明が煩雑になることを避けるために、図６では、本発明と密接に関連する主な構成部のみを示す。
【００５８】
図６に示すｅＮＢ１０２は、ＵＥ１２２に対してＲＲＣコネクション再設定メッセージを送信する送信部６００、及びメッセージの処理を行う処理部６０２を含んで構成される
。
【００５９】
なお、ｇＮＢ１０８の構成も図６に示すｅＮＢ１０２と同様の構成であってよい。この場合、ｇＮＢ１０８は、ＵＥ１２２に対してＲＲＣ再設定メッセージを送信する送信部６００、及びメッセージの処理を行う処理部６０２を含んで構成される。
【００６０】
図７は、本発明の各実施の形態において、図４におけるＲＲＣコネクション再設定メッセージに含まれる情報のうち、ＥＮ−ＤＣ及びＮＧＥＮ−ＤＣにおけるマスターノードのセルグループにおけるＤＲＢ設定のうち、ＬＴＥに係る情報、及び情報のＡＳＮ．１（Ａｂｓｔｒａｃｔ  Ｓｙｎｔａｘ  Ｎｏｔａｔｉｏｎ  Ｏｎｅ）記述の一例である。３ＧＰＰにおいて、ＲＲＣに係る仕様書（非特許文献４、非特許文献１０）は、ＲＲＣに係るメッセージ、及び情報（Ｉｎｆｏｒｍａｔｉｏｎ  Ｅｌｅｍｅｎｔ：ＩＥ）等をＡＳＮ．１を用いて記述する。以下の説明において、ＡＳＮ．１の例で、＜略＞及び＜中略＞とは、ＡＳＮ．１の表記の一部ではなく、他の情報を省略している事を示す。なお＜略＞又は＜中略＞という記載の無い所でも、情報が省略されていても良い。また、以下の説明において、ＡＳＮ．１の例はＡＳＮ．１表記方法に正しく従ったものではなく、本発明の実施形態におけるＤＲＢ設定のパラメータの一例を表記したものであり、他の名称や他の表記が使われても良い。また、以下の説明におけるＡＳＮ．１の例は、説明が煩雑になることを避けるために、本発明と密接に関連する主な情報に関する例のみを示す。また、以下の説明におけるＡＳＮ．１の例において、情報要素の順番等も一例であり、ここでの例に限定されるものではない。
【００６１】
また、以下の説明で用いられるＥＰＳベアラとは、ＵＥ１２２とＥＰＣ１０４との間で共通のＱｏＳの扱いを受けるトラフィックフローを一意に識別するものであり、ＥＰＳベアラ識別子はそれぞれのＥＰＳベアラを識別するために用いられる識別子である。
【００６２】
図７においてｆｕｌｌＣｏｎｆｉｇで表される情報は、フル設定が適用される事を示す情報であり、ｔｒｕｅ、ｅｎａｂｌｅなどを用いてフル設定が適用される事を示しても良い。ＤＲＢ−ＴｏＡｄｄＭｏｄＬｉｓｔで表される情報は、ＤＲＢＴｏＡｄｄＭｏｄで表される、追加又は変更するＤＲＢの設定を示す情報のリストであっても良い。ＤＲＢ−ＴｏＡｄｄＭｏｄ（追加又は変更するＤＲＢの設定を示す情報）の中の、ｅｐｓ−ＢｅａｒｅｒＩｄｅｎｔｉｔｙで表される情報は、非特許文献３に説明されるＥＰＳベアラを識別する、ＥＰＳベアラ識別子の情報であっても良い。図７の例では０から１５の整数値としているが、別の値を取っても良い。ＥＰＳベアラ識別子の情報は、設定するＤＲＢと一対一に対応していても良い。また追加又は変更するＤＲＢの設定を示す情報の中の、ＤＲＢ−Ｉｄｅｎｔｉｔｙで表される情報は、追加又は変更するＤＲＢのＤＲＢ識別子の情報である。図７の例では１から３２の整数値としているが、別の値を取っても良い。また追加又は変更するＤＲＢの設定を示す情報の中の、ｐｄｃｐ−Ｃｏｎｆｉｇで表される情報はＰＤＣＰ２０６の確立や変更を行うための、ＬＴＥ  ＰＤＣＰエンティティの設定に関する情報であっても良い。また、ＤＲＢ−ＴｏＲｅｌｅａｓｅＬｉｓｔで示される情報は、解放するＤＲＢのＤＲＢ識別子のリストを示す情報であっても良い。
【００６３】
また図７に示す一部、又は全ての情報は、オプショナルであっても良い。すなわち図７に示す情報は必要に応じてＲＲＣコネクション再設定メッセージに含まれても良い。例えばＥＮ−ＤＣに対応したＵＥ１２２におけるＤＲＢのＰＤＣＰとして、ＬＴＥ  ＰＤＣＰを使う場合には、ＬＴＥ  ＰＤＣＰエンティティの設定に関する情報が含まれても良いし、ＮＲ  ＰＤＣＰを利用する場合には、ＬＴＥ  ＰＤＣＰエンティティの設定に関する情報は含まれなくても良い。
【００６４】
なお、ＵＥ１２２において、ＰＤＣＰエンティティの設定は、対応するＲＲＣエンティ
ティによって設定される。即ちＬＴＥ  ＰＤＣＰエンティティ設定は、非特許文献４に記載のＬＴＥ用ＲＲＣエンティティによって設定され、ＮＲ  ＰＤＣＰエンティティの設定は、非特許文献１０に記載のＮＲ用ＲＲＣエンティティによって設定される。また、ＬＴＥ用ＲＲＣエンティティで行われる処理では、ＬＴＥ  ＰＤＣＰが確立、若しくは設定されているかを判断し、ＮＲ用ＲＲＣエンティティで行われる処理では、ＮＲ  ＰＤＣＰが確立、若しくは設定されているかを判断する。なお、ＵＥ１２２は、ｅＮＢ１０２から受信したＲＲＣコネクション再設定メッセージの中に、ＮＲ  ＰＤＣＰエンティティの設定関する情報などの、ＮＲに関する設定の情報がコンテナ等の形で含まれる場合には、ＮＲ
ＲＲＣエンティティにてデコードし設定を行う。
【００６５】
図８は図４におけるＲＲＣ再設定メッセージに含まれる情報のうち、ＤＲＢ設定に係る情報、及び情報のＡＳＮ．１（Ａｂｓｔｒａｃｔ  Ｓｙｎｔａｘ  Ｎｏｔａｔｉｏｎ  Ｏｎｅ）記述の一例である。なお図８におけるＡＳＮ．１の例はＡＳＮ．１表記方法に正しく従ったものではなく、本発明におけるＤＲＢ設定のパラメータの一例を表記したものであり、他の名称や他の表記が使われても良い。
【００６６】
図８においてｆｕｌｌＣｏｎｆｉｇで表される情報は、フル設定が適用される事を示す情報であり、ｔｒｕｅ、ｅｎａｂｌｅなどを用いてフル設定が適用される事を示しても良い。ＤＲＢ−ＴｏＡｄｄＭｏｄＬｉｓｔで表される情報は、ＤＲＢＴｏＡｄｄＭｏｄ（追加又は変更するＤＲＢの設定を示す情報）で表される、追加又は変更するＤＲＢの設定を示す情報のリストであっても良い。ＤＲＢ−ＴｏＡｄｄＭｏｄの中の、ｅｐｓ−ＢｅａｒｅｒＩｄｅｎｔｉｔｙで表される情報は、非特許文献３に説明されるＥＰＳベアラを識別する、ＥＰＳベアラ識別子の情報であっても良い。図８の例では０から１５の整数値としているが、別の値を取っても良い。ＤＲＢ−ＴｏＡｄｄＭｏｄの中の、ｓｄａｐ−Ｃｏｎｆｉｇで表される情報は、ＳＤＡＰの設定情報であっても良い。ｅｐｓ−ＢｅａｒｅｒＩｄｅｎｔｉｔｙと、ｓｄａｐ−Ｃｏｎｆｉｇとはどちらか一方が設定されてよい。例えば、ＵＥ１２２がＥＰＣ１０４に接続している場合にはＤＲＢがｅｐｓ−ＢｅａｒｅｒＩｄｅｎｔｉｔｙに対応付けられてよい。また、ＵＥ１２２が５ＧＣ１１０に接続している場合にはＤＲＢがｓｄａｐ−Ｃｏｎｆｉｇに対応付けられてよい。また追加又は変更するＤＲＢの設定を示す情報の中の、ＤＲＢ−Ｉｄｅｎｔｉｔｙで表される情報は、追加又は変更するＤＲＢのＤＲＢ識別子である。図８の例では１から３２の整数値としているが、別の値を取っても良い。ＤＲＢ識別子はＰＤＵセッションの中でＤＲＢを一意に識別するために使われても良い。
【００６７】
また、ＤＲＢ−ＴｏＲｅｌｅａｓｅＬｉｓｔで示される情報は、解放するＤＲＢのＤＲＢ識別子のリストを示す情報であっても良い。
【００６８】
また図８に示す一部、又は全ての情報は、オプショナルであっても良い。即ち図８に示す情報は必要に応じてＲＲＣ再設定メッセージに含まれても良い。例えばＥＮ−ＤＣに対応したＵＥ１２２におけるＤＲＢのＰＤＣＰとして、ＮＲ  ＰＤＣＰを使う場合には、ＮＲ  ＰＤＣＰエンティティの設定に関する情報が含まれても良いし、ＬＴＥ  ＰＤＣＰを利用する場合には、ＮＲ  ＰＤＣＰエンティティの設定に関する情報は含まれなくても良い。
【００６９】
なお、ＵＥ１２２において、ＰＤＣＰエンティティの設定は、対応するＲＲＣエンティティによって設定される。即ちＬＴＥ  ＰＤＣＰエンティティ設定は、非特許文献４に記載のＬＴＥ用ＲＲＣエンティティによって設定され、ＮＲ  ＰＤＣＰエンティティの設定は、非特許文献１０に記載のＮＲ用ＲＲＣエンティティによって設定される。また、ＬＴＥ用ＲＲＣエンティティで行われる処理では、ＬＴＥ  ＰＤＣＰが確立、若しくは設定されているかを判断し、ＮＲ用ＲＲＣエンティティで行われる処理では、ＮＲ  ＰＤＣＰが
確立、若しくは設定されているかを判断する。なお、ＵＥ１２２は、ｇＮＢ１０８から受信したＲＲＣ再設定メッセージの中に、ＬＴＥ  ＰＤＣＰエンティティの設定関する情報などの、ＬＴＥに関する設定の情報がコンテナ等の形で含まれる場合には、ＬＴＥ  ＲＲＣエンティティにてデコードし設定を行う。
【００７０】
なお、本実施の形態において、以下、追加又は変更するＤＲＢの設定を示す情報の事をＤＲＢ設定、ＥＰＳベアラ識別子の情報の事をＥＰＳベアラ識別子、ＤＲＢ識別子の情報事をＤＲＢ識別子、ＬＴＥ  ＰＤＣＰエンティティの設定に関する情報の事をＬＴＥ  ＰＤＣＰ設定、ＮＲ  ＰＤＣＰエンティティの設定に関する情報の事をＮＲ  ＰＤＣＰ設定、とそれぞれ記述する場合もある。
【００７１】
なお、以下の説明で、ＤＲＢ設定は、ＤＲＢ設定のリストに含まれるものとし、ＵＥ１２２の処理部５０２におけるＤＲＢ設定に対する処理は、ＤＲＢ設定のリストに含まれる各ＤＲＢ設定に対して行われるものとする。
【００７２】
図５から図８と、図９、図１１を用いて、ＤＲＢ設定手順の一例を説明する。ここでは、ＵＥ１２２がＤＲＢを解放することを示す情報（例えばＤＲＢ−ＴｏＲｅｌｅａｓｅＬｉｓｔ）を受信した場合の処理を説明する。なお、以下の説明に含まれない他の処理がＤＲＢ設定手順に含まれてもよい。また、ここでは、図１１のＲＲＣ再設定メッセージを例に図９の手順について説明するが、メッセージや情報要素の構造や名前はこれに限定されない。
【００７３】
ＵＥ１２２の処理部５０２は、現状のＵＥ１２２の設定の一部である、ＤＲＢ−ＴｏＲｅｌｅａｓｅＬｉｓｔに含まれるＤＲＢ識別子の値に対応づけられたＰＤＣＰエンティティを解放し、フル設定の結果として解放されるＤＲＢ識別子の値に対応づけられたＰＤＣＰエンティティを解放し、ステップＳ９０２に遷移する（ステップＳ９０１）。
【００７４】
ＵＥ１２２の処理部５０２は、ステップＳ９０１におけるＤＲＢ−ＴｏＲｅｌｅａｓｅＬｉｓｔが含まれるＲＲＣ再設定メッセージに、ＰＤＣＰバージョン変更を示す情報（例えばＰＤＣＰバージョン変更情報要素：ｐｄｃｐＶｅｒｓｉｏｎＣｈａｎｇｅ）が含まれる場合、ＤＲＢ設定（ＤＲＢの解放）処理を終了する。このとき、そのＤＲＢ識別子を解放してもよい。ＵＥ１２２の処理部５０２は、ステップＳ９０１におけるＤＲＢ−ＴｏＲｅｌｅａｓｅＬｉｓｔが含まれるＲＲＣ再設定メッセージに、ＰＤＣＰバージョン変更を示す情報（例えばＰＤＣＰバージョン変更情報要素：ｐｄｃｐＶｅｒｓｉｏｎＣｈａｎｇｅ）が含まれない場合、ステップＳ９０３に遷移する（ステップＳ９０２）。なお、ＰＤＣＰバージョン変更を示す情報はＰＤＣＰバージョン変更を行う１または複数のＤＲＢ識別子あるいはＥＰＳベアラ識別子の情報を含んでもよい。この場合、この識別子情報に対するＤＲＢ（ＤＲＢの解放）処理において、ステップＳ９０１で処理を終了してもよい。
【００７５】
ＵＥ１２２の処理部５０２は、もしこのプロシージャが、ハンドオーバ（同期を伴うＲＲＣ再設定）によってトリガされた場合、そのＤＲＢ識別子で識別されるＤＲＢを解放したこと（ＤＲＢの解放情報）と、解放されたＤＲＢのＥＰＳベアラ識別子とをハンドオーバ（同期を伴うＲＲＣ再設定）が成功した後にＵＥ１２２の上位レイヤ（例えば非アクセス層（Ｎｏｎ−Ａｃｃｅｓｓ  Ｓｔｒａｔｕｍ：ＮＡＳ  Ｌａｙｅｒ））に示して、ＤＲＢ設定（ＤＲＢの解放）処理を終了する。ＵＥ１２２の処理部５０２は、もしこのプロシージャが、ハンドオーバ（同期を伴うＲＲＣ再設定）によってトリガされたのではない場合、そのＤＲＢ識別子で識別されるＤＲＢを解放したことと、解放されたＤＲＢのＥＰＳベアラ識別子とを直ちにＵＥ１２２の上位レイヤ（例えば非アクセス層（Ｎｏｎ−Ａｃｃｅｓｓ  Ｓｔｒａｔｕｍ：ＮＡＳ  Ｌａｙｅｒ））に示して、ＤＲＢ設定（ＤＲＢの解放）処理を終了する（ステップＳ９０３）。
【００７６】
なお、上記説明では、ＰＤＣＰバージョン変更を示す情報（例えばＰＤＣＰバージョン変更情報要素：ｐｄｃｐＶｅｒｓｉｏｎＣｈａｎｇｅ）がＲＲＣ再設定メッセージに含まれる例を示したが、ＤＲＢ−ＴｏＲｅｌｅａｓｅＬｉｓｔに複数のパラメータを含めることができる構造としてもよい。例えば、ＤＲＢ−ＴｏＲｅｌｅａｓｅＬｉｓｔが複数のＤＲＢ−ＴｏＲｅｌｅａｓｅ情報要素を持つ構造として、ＤＲＢ−ＴｏＲｅｌｅａｓｅが、解放するＤＲＢ識別子情報と、それに対応するｐｄｃｐＶｅｒｓｉｏｎＣｈａｎｇｅ情報とを含んでもよい。
【００７７】
また、ＰＤＣＰバージョン変更を示す情報（例えばＰＤＣＰバージョン変更情報要素：ｐｄｃｐＶｅｒｓｉｏｎＣｈａｎｇｅ）は、ブーリアン型（Ｂｏｏｌｅａｎ  ｔｙｐｅ）の情報であってもよく、真であればＰＤＣＰバージョン変更であることを示し、偽であればＰＤＣＰバージョン変更でないことを示すようにしてもよい。あるいは真と偽は逆の意味であってもよい。また、ＰＤＣＰバージョン変更を示す情報（例えばＰＤＣＰバージョン変更情報要素：ｐｄｃｐＶｅｒｓｉｏｎＣｈａｎｇｅ）は、列挙型（Ｅｎｕｍｅｒａｔｅｄ  ｔｙｐｅ）の情報であってもよく、情報が第１の値であればＰＤＣＰバージョン変更であることを示し、情報が第２の値であればＰＤＣＰバージョン変更でないことを示すようにしてもよい。また、ＰＤＣＰバージョン変更を示す情報（例えばＰＤＣＰバージョン変更情報要素：ｐｄｃｐＶｅｒｓｉｏｎＣｈａｎｇｅ）は、第１の情報がＲＲＣ再設定メッセージに含まれるか否かによってＰＤＣＰバージョン変更であるか否かが示されてもよい。第１の情報が含まれる場合、ＰＤＣＰバージョン変更であることを示し、第１の情報が含まれない場合、ＰＤＣＰバージョン変更でないことを示すようにしてもよい。あるいは含まれるか否かが逆の意味であってもよい。また、ＰＤＣＰバージョン変更を示す情報（例えばＰＤＣＰバージョン変更情報要素：ｐｄｃｐＶｅｒｓｉｏｎＣｈａｎｇｅ）は、その他の型であってもよい。
【００７８】
図５から図８と、図１０、図１１を用いて、ＤＲＢ設定手順の別の一例を説明する。ここでは、ＵＥ１２２がＤＲＢを追加および／または変更することを示す情報（例えばＤＲＢ−ＴｏＡｄｄＭｏｄＬｉｓｔ）を受信した場合の処理を説明する。また、ここでは、図１１のＲＲＣ再設定メッセージを例に図１０の手順について説明するが、メッセージや情報要素の構造や名前はこれに限定されない。
【００７９】
ＵＥ１２２の処理部５０２は、ＤＲＢ−ＴｏＡｄｄＭｏｄＬｉｓｔに含まれる、現状のＵＥ１２２の設定の一部ではないＤＲＢ識別子の値に対して、以下の処理を行う。
【００８０】
ＵＥ１２２の処理部５０２は、ＰＤＣＰエンティティを設立して、受信したｐｄｃｐ−Ｃｏｎｆｉｇに従って、そのＰＤＣＰエンティティを設定する。また、セキュリティに関する設定（ｓｅｃｕｒｉｔｙＣｏｎｆｉｇ）によって、そのＰＤＣＰエンティティにセキュリティアルゴリズムを設定する。そして使用する鍵の情報（ｋｅｙＴｏＵｓｅ）で指示されるＫｅＮＢまたはＫｇＮＢに対応付けられた鍵を適用してステップＳ１００２に遷移する（ステップＳ１００１）。
【００８１】
ステップＳ１００２において、ＵＥ１２２の処理部５０２は、ＲＲＣ再設定メッセージにｆｕｌｌＣｏｎｆｉｇ情報要素が含まれるか、またはＲＲＣ再設定メッセージにｐｄｃｐＶｅｒｓｉｏｎＣｈａｎｇｅ情報要素が含まれる場合、ステップＳ１００３に遷移し、それ以外の場合はステップＳ１００４に遷移する（ステップＳ１００２）。
【００８２】
ステップＳ１００３において、ＵＥ１２２の処理部５０２は、設立されたＤＲＢと、ＤＲＢの設定に含まれるＥＰＳベアラ識別子とを関連付けて（ａｓｓｏｃｉａｔｅして）、ＤＲＢ設定（ＤＲＢの追加および／または変更）処理を終了する（ステップＳ１００３）
。
【００８３】
ステップＳ１００４において、ＵＥ１２２の処理部５０２は、そのＤＲＢ識別子で識別されるＤＲＢを設立したことと、設立されたＤＲＢのＥＰＳベアラ識別子とをＵＥ１２２の上位レイヤ（例えば非アクセス層（Ｎｏｎ−Ａｃｃｅｓｓ  Ｓｔｒａｔｕｍ：ＮＡＳ  Ｌａｙｅｒ））に示して、ＤＲＢ設定（ＤＲＢの追加および／または変更）処理を終了する（ステップＳ１００４）。
【００８４】
なお、上記説明では、ＰＤＣＰバージョン変更を示す情報（例えばＰＤＣＰバージョン変更情報要素：ｐｄｃｐＶｅｒｓｉｏｎＣｈａｎｇｅ）がＲＲＣ再設定メッセージに含まれる例を示したが、ＤＲＢ−ＴｏＡｄｄＭｏｄＬｉｓｔにその情報を含めることができる構造としてもよい。例えば、ＤＲＢ−ＴｏＡｄｄＭｏｄが、追加するＤＲＢ識別子情報と、それに対応するｐｄｃｐＶｅｒｓｉｏｎＣｈａｎｇｅ情報とを含んでもよい。
【００８５】
また、ＰＤＣＰバージョン変更を示す情報（例えばＰＤＣＰバージョン変更情報要素：ｐｄｃｐＶｅｒｓｉｏｎＣｈａｎｇｅ）は、ブーリアン型（Ｂｏｏｌｅａｎ  ｔｙｐｅ）の情報であってもよく、真であればＰＤＣＰバージョン変更であることを示し、偽であればＰＤＣＰバージョン変更でないことを示すようにしてもよい。あるいは真と偽は逆の意味であってもよい。また、ＰＤＣＰバージョン変更を示す情報（例えばＰＤＣＰバージョン変更情報要素：ｐｄｃｐＶｅｒｓｉｏｎＣｈａｎｇｅ）は、列挙型（Ｅｎｕｍｅｒａｔｅｄ  ｔｙｐｅ）の情報であってもよく、情報が第１の値であればＰＤＣＰバージョン変更であることを示し、情報が第２の値であればＰＤＣＰバージョン変更でないことを示すようにしてもよい。また、ＰＤＣＰバージョン変更を示す情報（例えばＰＤＣＰバージョン変更情報要素：ｐｄｃｐＶｅｒｓｉｏｎＣｈａｎｇｅ）は、第１の情報がＲＲＣ再設定メッセージに含まれるか否かによってＰＤＣＰバージョン変更であるか否かが示されてもよい。第１の情報が含まれる場合、ＰＤＣＰバージョン変更であることを示し、第１の情報が含まれない場合、ＰＤＣＰバージョン変更でないことを示すようにしてもよい。あるいは含まれるか否かが逆の意味であってもよい。また、ＰＤＣＰバージョン変更を示す情報（例えばＰＤＣＰバージョン変更情報要素：ｐｄｃｐＶｅｒｓｉｏｎＣｈａｎｇｅ）は、その他の型であってもよい。また、「ＰＤＣＰバージョン変更であることを示す」は、「フル設定が設定されていることを示す」または「フル設定を実行することを示す」とみなされるように処理されてもよい。
【００８６】
また、ＰＤＣＰバージョン変更を示す情報は、他の情報であってもよい。例えば、それは、ＤＲＢが解放された後にＤＲＢが追加される事を示す情報と置き換えられてもよいし、ＥＰＳベアラを保持する事を示す情報であってもよい。また、ＰＤＣＰバージョン変更を示す情報は、ＥＰＳベアラを保持したまま、このＥＰＳベアラに対応するＤＲＢ解放及び追加が行われる事を示す情報であってもよく、それは他の名称を持つ情報であってもよい。
【００８７】
図５から図８と、図１２、図１４を用いて、ＤＲＢ設定手順の別の一例を説明する。ここでは、ＵＥ１２２がＤＲＢを解放することを示す情報（例えばＤＲＢ−ＴｏＲｅｌｅａｓｅＬｉｓｔ）を受信した場合の処理を説明する。なお、以下の説明に含まれない他の処理がＤＲＢ設定手順に含まれてもよい。また、ここでは、図１４のＲＲＣ再設定メッセージを例に図１２の手順について説明するが、メッセージや情報要素の構造や名前はこれに限定されない。
【００８８】
ＵＥ１２２の処理部５０２は、現状のＵＥ１２２の設定の一部である、ＤＲＢ−ＴｏＲｅｌｅａｓｅＬｉｓｔに含まれるＤＲＢ識別子の値に対応づけられたＰＤＣＰエンティティを解放し、フル設定の結果として解放されるＤＲＢ識別子の値に対応づけられたＰＤＣ
Ｐエンティティを解放し、ステップＳ１２０２に遷移する（ステップＳ１２０１）。
【００８９】
ＵＥ１２２の処理部５０２は、ステップＳ１２０１におけるＤＲＢ−ＴｏＲｅｌｅａｓｅＬｉｓｔが含まれるＲＲＣ再設定メッセージに、解放通知を指示する情報（例えば解放指示情報要素：ｒｅｌｅａｓｅＩｎｄｉｃａｔｉｏｎ）が含まれない場合、このＤＲＢに対するＤＲＢ設定（ＤＲＢの解放）処理を終了する。このとき、そのＤＲＢ識別子を解放してもよい。ＵＥ１２２の処理部５０２は、ステップＳ１２０１におけるＤＲＢ−ＴｏＲｅｌｅａｓｅＬｉｓｔが含まれるＲＲＣ再設定メッセージに、解放通知を指示する情報（例えば解放指示情報要素：ｒｅｌｅａｓｅＩｎｄｉｃａｔｉｏｎ）が含まれる場合、ステップＳ１２０３に遷移する（ステップＳ１２０２）。
【００９０】
あるいは、ステップＳ１２０２において、ＵＥ１２２の処理部５０２は、ＤＲＢ−ＴｏＲｅｌｅａｓｅＬｉｓｔに含まれるＤＲＢの識別子に対して設定されているＥＰＳベアラ識別子と、ＵＥ１２２のＬＴＥ  ＲＲＣエンティティから通知されるＥＰＳベアラ識別子とが同じＥＰＳベアラ識別子である場合、このＤＲＢに対するＤＲＢ設定（ＤＲＢの解放）処理を終了するようにしてもよい。
【００９１】
ＵＥ１２２の処理部５０２は、もしこのプロシージャが、ハンドオーバ（同期を伴うＲＲＣ再設定）によってトリガされた場合、そのＤＲＢ識別子で識別されるＤＲＢを解放したこと（ＤＲＢの解放情報）と、解放されたＤＲＢのＥＰＳベアラ識別子とをハンドオーバ（同期を伴うＲＲＣ再設定）が成功した後にＵＥ１２２の上位レイヤ（例えば非アクセス層（Ｎｏｎ−Ａｃｃｅｓｓ  Ｓｔｒａｔｕｍ：ＮＡＳ  Ｌａｙｅｒ））に示して、このＤＲＢに対するＤＲＢ設定（ＤＲＢの解放）処理を終了する。ＵＥ１２２の処理部５０２は、もしこのプロシージャが、ハンドオーバ（同期を伴うＲＲＣ再設定）によってトリガされたのではない場合、そのＤＲＢ識別子で識別されるＤＲＢを解放したことと、解放されたＤＲＢのＥＰＳベアラ識別子とを直ちにＵＥ１２２の上位レイヤ（例えば非アクセス層（Ｎｏｎ−Ａｃｃｅｓｓ  Ｓｔｒａｔｕｍ：ＮＡＳ  Ｌａｙｅｒ））に示して、このＤＲＢに対するＤＲＢ設定（ＤＲＢの解放）処理を終了する（ステップＳ１２０３）。
【００９２】
なお、上記説明では、解放通知を指示する情報（例えば解放指示情報要素：ｒｅｌｅａｓｅＩｎｄｉｃａｔｉｏｎ）が、ＤＲＢ−ＴｏＲｅｌｅａｓｅに含まれる例を示したが、他の情報要素に含まれてもよい。
【００９３】
また、解放通知を指示する情報（例えば解放指示情報要素：ｒｅｌｅａｓｅＩｎｄｉｃａｔｉｏｎ）は、ブーリアン型（Ｂｏｏｌｅａｎ  ｔｙｐｅ）の情報であってもよく、真であれば解放通知を指示することを示し、偽であれば解放通知を指示しないことを示すようにしてもよい。あるいは真と偽は逆の意味であってもよい。また、解放通知を指示する情報（例えば解放指示情報要素：ｒｅｌｅａｓｅＩｎｄｉｃａｔｉｏｎ）は、列挙型（Ｅｎｕｍｅｒａｔｅｄ  ｔｙｐｅ）の情報であってもよく、情報が第１の値であれば解放通知を指示することを示し、情報が第２の値であれば解放通知を指示しないことを示すようにしてもよい。また、解放通知を指示する情報（例えば解放指示情報要素：ｒｅｌｅａｓｅＩｎｄｉｃａｔｉｏｎ）は、第１の情報がＲＲＣ再設定メッセージに含まれるか否かによって解放通知を指示するか否かが示されてもよい。第１の情報が含まれる場合、解放通知を指示することを示し、第１の情報が含まれない場合、解放通知を指示しないことを示すようにしてもよい。あるいは含まれるか否かが逆の意味であってもよい。また、解放通知を指示する情報（例えば解放指示情報要素：ｒｅｌｅａｓｅＩｎｄｉｃａｔｉｏｎ）は、その他の型であってもよい。
【００９４】
図５から図８と、図１３、図１４を用いて、ＤＲＢ設定手順の別の一例を説明する。ここでは、ＵＥ１２２がＤＲＢを追加および／または変更することを示す情報（例えばＤＲ
Ｂ−ＴｏＡｄｄＭｏｄＬｉｓｔ）を受信した場合の処理を説明する。また、ここでは、図１４のＲＲＣ再設定メッセージを例に図１３の手順について説明するが、メッセージや情報要素の構造や名前はこれに限定されない。
【００９５】
ＵＥ１２２の処理部５０２は、ＤＲＢ−ＴｏＡｄｄＭｏｄＬｉｓｔに含まれる、現状のＵＥ１２２の設定の一部ではないＤＲＢ識別子の値に対して、以下の処理を行う。
【００９６】
ＵＥ１２２の処理部５０２は、ＰＤＣＰエンティティを設立して、受信したｐｄｃｐ−Ｃｏｎｆｉｇに従って、そのＰＤＣＰエンティティを設定する。また、セキュリティに関する設定（ｓｅｃｕｒｉｔｙＣｏｎｆｉｇ）によって、そのＰＤＣＰエンティティにセキュリティアルゴリズムを設定する。そして使用する鍵の情報（ｋｅｙＴｏＵｓｅ）で指示されるＫｅＮＢまたはＫｇＮＢに対応付けられた鍵を適用してステップＳ１３０２に遷移する（ステップＳ１３０１）。
【００９７】
ステップＳ１３０２において、ＵＥ１２２の処理部５０２は、ＲＲＣ再設定メッセージにｆｕｌｌＣｏｎｆｉｇ情報要素が含まれるか、またはＲＲＣ再設定メッセージに関連付けを指示する情報要素（例えば関連付け指示情報要素：ａｓｓｏｃｉａｔｅＩｎｄｉｃａｔｉｏｎ）が含まれる場合、ステップＳ１３０３に遷移し、それ以外の場合はステップＳ１３０４に遷移する（ステップＳ１３０２）。
【００９８】
あるいは、ステップＳ１３０２において、ＵＥ１２２の処理部５０２は、ＲＲＣ再設定メッセージにｆｕｌｌＣｏｎｆｉｇ情報要素が含まれるか、または、ＵＥ１２２のＬＴＥ
ＲＲＣエンティティから通知されるＥＰＳベアラ識別子とＤＲＢ−ＴｏＡｄｄＭｏｄＬｉｓｔに含まれるＤＲＢに対して設定されるＥＰＳベアラ識別子とが同じである場合、ステップＳ１３０３に遷移し、それ以外の場合はステップＳ１３０４に遷移するようにしてもよい。
【００９９】
ステップＳ１３０３において、ＵＥ１２２の処理部５０２は、設立されたＤＲＢと、ＤＲＢの設定に含まれるＥＰＳベアラ識別子とを関連付けて（ａｓｓｏｃｉａｔｅして）、このＤＲＢに対するＤＲＢ設定（ＤＲＢの追加および／または変更）処理を終了する（ステップＳ１３０３）。
【０１００】
ステップＳ１３０４において、ＵＥ１２２の処理部５０２は、そのＤＲＢ識別子で識別されるＤＲＢを設立したことと、設立されたＤＲＢのＥＰＳベアラ識別子とをＵＥ１２２の上位レイヤ（例えば非アクセス層（Ｎｏｎ−Ａｃｃｅｓｓ  Ｓｔｒａｔｕｍ：ＮＡＳ  Ｌａｙｅｒ））に示して、このＤＲＢに対するＤＲＢ設定（ＤＲＢの追加および／または変更）処理を終了する（ステップＳ１３０４）。
【０１０１】
なお、上記説明では、関連付けを指示する情報要素（例えば関連付け指示情報要素：ａｓｓｏｃｉａｔｅＩｎｄｉｃａｔｉｏｎ）がＤＲＢ−ＴｏＡｄｄＭｏｄに含まれる例を示したが、他の情報要素に含まれてもよい。
【０１０２】
また、関連付けを指示する情報要素（例えば関連付け指示情報要素：ａｓｓｏｃｉａｔｅＩｎｄｉｃａｔｉｏｎ）は、ブーリアン型（Ｂｏｏｌｅａｎ  ｔｙｐｅ）の情報であってもよく、真であれば関連付けを指示することを示し、偽であれば関連付けを指示しないことを示すようにしてもよい。あるいは真と偽は逆の意味であってもよい。また、関連付けを指示する情報要素（例えば関連付け指示情報要素：ａｓｓｏｃｉａｔｅＩｎｄｉｃａｔｉｏｎ）は、列挙型（Ｅｎｕｍｅｒａｔｅｄ  ｔｙｐｅ）の情報であってもよく、情報が第１の値であれば関連付けを指示することを示し、情報が第２の値であれば関連付けを指示しないことを示すようにしてもよい。また、関連付けを指示する情報要素（例えば関
連付け指示情報要素：ａｓｓｏｃｉａｔｅＩｎｄｉｃａｔｉｏｎ）は、第１の情報がＲＲＣ再設定メッセージに含まれるか否かによって関連付けを指示するか否かが示されてもよい。第１の情報が含まれる場合、関連付けを指示することを示し、第１の情報が含まれない場合、関連づけを指示しないことを示すようにしてもよい。あるいは含まれるか否かが逆の意味であってもよい。また、関連付けを指示する情報要素（例えば関連付け指示情報要素：ａｓｓｏｃｉａｔｅＩｎｄｉｃａｔｉｏｎ）は、その他の型であってもよい。また、「関連付けを指示することを示す」は、「フル設定を実行することを示す」とみなされるように処理されてもよい。
【０１０３】
図５から図８と、図１５、図１６を用いて、ＤＲＢ設定手順の別の一例を説明する。ここでは、ＵＥ１２２がＤＲＢを解放および追加することを示す情報（例えばＤＲＢ−ＴｏＲｅｌｅａｓｅＡｄｄＬｉｓｔ）を受信した場合の処理を説明する。なお、以下の説明に含まれない他の処理がＤＲＢ設定手順に含まれてもよい。また、ここでは、図１６のＲＲＣ再設定メッセージを例に図１２の手順について説明するが、メッセージや情報要素の構造や名前はこれに限定されない。
【０１０４】
ＵＥ１２２の処理部５０２は、現状のＵＥ１２２の設定の一部である、ＤＲＢ−ＴｏＲｅｌｅａｓｅＡｄｄＬｉｓｔに含まれるＤＲＢ識別子の値に対応づけられたＰＤＣＰエンティティとＤＲＢ識別子とを解放し、ステップＳ１５０２に遷移する（ステップＳ１５０１）。
【０１０５】
ステップＳ１５０２において、ＵＥ１２２の処理部５０２は、ＤＲＢ−ＴｏＲｅｌｅａｓｅＡｄｄＬｉｓｔに含まれる、ＵＥ１２２の設定の一部でないＤＲＢ識別子の値に対して、ＰＤＣＰエンティティを設立し、受信したｐｄｃｐ−Ｃｏｎｆｉｇに従って、そのＰＤＣＰエンティティを設定する。また、セキュリティに関する設定（ｓｅｃｕｒｉｔｙＣｏｎｆｉｇ）によって、そのＰＤＣＰエンティティにセキュリティアルゴリズムを設定する。そして使用する鍵の情報（ｋｅｙＴｏＵｓｅ）で指示されるＫｅＮＢまたはＫｇＮＢに対応付けられた鍵を適用する。そして、設立されたＤＲＢとそのＤＲＢに対応するＥＰＳベアラ識別子とを関連付けて（ａｓｓｏｃｉａｔｅして）、ＤＲＢ設定（ＤＲＢの解放および／または追加）処理を終了する。
【０１０６】
なお、上記説明では、ＤＲＢ−ＴｏＲｅｌｅａｓｅＡｄｄＬｉｓｔがＲＲＣ再設定メッセージのＲａｄｉｏＢｅａｒｅｒＣｏｎｆｉｇ情報要素に含まれる例を示したが、他の情報要素に含まれてもよい。
【０１０７】
また、基地局装置（ｅＮＢ１０２、ｇＮＢ１０８）は、上述したようなＤＲＢ設定を含むＲＲＣ再設定メッセージを生成して、ＵＥ１２２に送信する。基地局装置（ｅＮＢ１０２、ｇＮＢ１０８）は、ＵＥ１２２が、ＲＲＣ再設定メッセージを受け取ったことによって、ＤＲＢ設定に含まれる情報に基づいた処理を行うことを想定する。すなわち、基地局装置（ｅＮＢ１０２、ｇＮＢ１０８）は、ＲＲＣ再設定メッセージを送信することによって、ＵＥ１２２に対して、ＵＥ１２２のＤＲＢ設定時に必要な処理を選択させることになる。
【０１０８】
また、上記説明における「ＰＤＣＰエンティティが確立される」とは、「ＮＲによってＰＤＣＰエンティティが確立される」と置き換えられてよい。また、「ＰＤＣＰエンティティが確立される」とは、ＰＤＣＰエンティティの確立が、ＮＲ用ＲＲＣエンティティで確立される場合を示してよい。また、「ＤＲＢ識別子の値に対応づけられたＰＤＣＰエンティティ」とはＮＲ用ＲＲＣエンティティのＤＲＢ設定に含まれるＤＲＢ識別子に対応付けられたＮＲ用ＰＤＣＰエンティティを示すことであってよい。
【０１０９】
また、上述の説明で、ＵＥ１２２の上位レイヤは非アクセス層（Ｎｏｎ−Ａｃｃｅｓｓ
Ｓｔｒａｔｕｍ：ＮＡＳ  Ｌａｙｅｒ）であってよい。すなわち、ＵＥ１２２において、処理部５０２はアクセス層（Ａｃｃｅｓｓ  Ｓｔｒａｔｕｍ：ＡＳ  Ｌａｙｅｒ）であるＲＲＣレイヤの信号を処理する処理部であり、上位レイヤである非アクセス層と様々な信号をやり取りしてよい。
【０１１０】
このように、本発明の実施の形態によれば、基地局装置（ｅＮＢ１０２、ｇＮＢ１０８）は、ＤＲＢ設定に必要な情報を端末装置（ＵＥ１２２）に通知でき、端末装置（ＵＥ１２２）は、ＤＲＢ設定を正しく行う事ができ、効率的に通信を行うことができる。
【０１１１】
なお、本発明の実施の形態におけるＤＲＢ設定は、ＲＲＣコネクション再設定手順だけでなく、ＲＲＣ確立（ＲＲＣ  Ｅｓｔａｂｌｉｓｈｍｅｎｔ）手順や、ＲＲＣ再確立（ＲＲＣ  Ｒｅ−Ｅｓｔａｂｌｉｓｈｍｅｎｔ）手順に含まれていても良い。
【０１１２】
また、上述の各実施形態の例で用いられた情報要素やプロシージャの一部あるいは全部は、他の実施形態の例で用いられた情報要素やプロシージャの一部あるいは全部と組み合わせて使用されてもよい。
【０１１３】
本発明の実施形態における、端末装置２および基地局装置３の種々の態様について説明する。
【０１１４】
（１）本発明の第１の態様は、端末装置であって、データ無線ベアラ（ＤＲＢ）を解放するメッセージを受信する受信部と、前記メッセージに第１の情報が含まれない場合に、前記メッセージで指示されたＤＲＢが解放されたことと、前記解放されたＤＲＢのＥＰＳベアラ識別子とをＮＡＳ層に通知し、前記メッセージに前記第１の情報が含まれる場合に、前記メッセージで指示されたＤＲＢが解放されたことと、前記解放されたＤＲＢのＥＰＳベアラ識別子とを前記ＮＡＳ層に通知しない処理部とを備える。
【０１１５】
（２）本発明の第１の態様において、前記第１の情報は、前記メッセージがＰＤＣＰ層のバージョン変更であることを示す。
【０１１６】
（３）本発明の第１の態様において、前記第１の情報は、前記メッセージで指示されたＤＲＢが解放されたことと、前記解放されたＤＲＢのＥＰＳベアラ識別子とをＮＡＳ層に通知しないことを指示する情報である。
【０１１７】
（４）本発明の第２の態様は、端末装置と通信する基地局装置であって、データ無線ベアラ（ＤＲＢ）を解放するメッセージを送信する送信部と、前記メッセージで指示されたＤＲＢが解放されたことと、前記解放されたＤＲＢのＥＰＳベアラ識別子とを前記端末装置のＮＡＳ層に通知させるか否かを指示する第１の情報を前記メッセージに含める処理部とを備える。
【０１１８】
（５）本発明の第３の態様は、端末装置に適用される通信方法であって、データ無線ベアラ（ＤＲＢ）を解放するメッセージを受信するステップと、前記メッセージに第１の情報が含まれない場合に、前記メッセージで指示されたＤＲＢが解放されたことと、前記解放されたＤＲＢのＥＰＳベアラ識別子とをＮＡＳ層に通知し、前記メッセージに前記第１の情報が含まれる場合に、前記メッセージで指示されたＤＲＢが解放されたことと、前記解放されたＤＲＢのＥＰＳベアラ識別子とを前記ＮＡＳ層に通知しないステップとを備える。
【０１１９】
（６）本発明の第４の態様は、端末装置と通信する基地局装置に適用される通信方法で
あって、データ無線ベアラ（ＤＲＢ）を解放するメッセージを送信するステップと、前記メッセージで指示されたＤＲＢが解放されたことと、前記解放されたＤＲＢのＥＰＳベアラ識別子とを前記端末装置のＮＡＳ層に通知させるか否かを指示する第１の情報を前記メッセージに含めるステップとを含む。
【０１２０】
（７）本発明の第５の態様は、端末装置に実装される集積回路であって、データ無線ベアラ（ＤＲＢ）を解放するメッセージを受信する機能と、前記メッセージに第１の情報が含まれない場合に、前記メッセージで指示されたＤＲＢが解放されたことと、前記解放されたＤＲＢのＥＰＳベアラ識別子とをＮＡＳ層に通知し、前記メッセージに前記第１の情報が含まれる場合に、前記メッセージで指示されたＤＲＢが解放されたことと、前記解放されたＤＲＢのＥＰＳベアラ識別子とを前記ＮＡＳ層に通知しない機能とを前記端末装置に対して発揮させる。
【０１２１】
（８）本発明の第６の態様は、端末装置と通信する基地局装置に実装される集積回路であって、データ無線ベアラ（ＤＲＢ）を解放するメッセージを送信する機能と、前記メッセージで指示されたＤＲＢが解放されたことと、前記解放されたＤＲＢのＥＰＳベアラ識別子とを前記端末装置のＮＡＳ層に通知させるか否かを指示する第１の情報を前記メッセージに含める機能とを前記基地局装置に対して発揮させる。
【０１２２】
（９）本発明の第７の態様は、端末装置であって、無線ベアラの解放を指示するメッセージとして、第１のメッセージと第２のメッセージの何れかを受信する受信部と、前記第１のメッセージを受信した場合に、前記メッセージで指示されたＤＲＢが解放されたことと、前記解放されたＤＲＢのＥＰＳベアラ識別子とをＮＡＳ層に通知し、前記第２のメッセージを受信した場合に、前記メッセージで指示されたＤＲＢが解放されたことと、前記解放されたＤＲＢのＥＰＳベアラ識別子とをＮＡＳ層に通知しない処理部とを備える。
【０１２３】
（１０）本発明の第８の態様は、端末装置と通信する基地局装置であって、無線ベアラの解放を指示するメッセージとして、第１のメッセージと第２のメッセージの何れかを送信する送信部と、前記メッセージで指示されたＤＲＢが解放されたことと、前記解放されたＤＲＢのＥＰＳベアラ識別子とを前記端末装置のＮＡＳ層に通知させるためのメッセージとして前記第１のメッセージを生成し、前記メッセージで指示されたＤＲＢが解放されたことと、前記解放されたＤＲＢのＥＰＳベアラ識別子とを前記端末装置のＮＡＳ層に通知させないためのメッセージとして前記第２のメッセージを生成する処理部とを備える。
【０１２４】
（１１）本発明の第９の態様は、端末装置に適用される通信方法であって、無線ベアラの解放を指示するメッセージとして、第１のメッセージと第２のメッセージの何れかを受信するステップと、前記第１のメッセージを受信した場合に、前記メッセージで指示されたＤＲＢが解放されたことと、前記解放されたＤＲＢのＥＰＳベアラ識別子とをＮＡＳ層に通知し、前記第２のメッセージを受信した場合に、前記メッセージで指示されたＤＲＢが解放されたことと、前記解放されたＤＲＢのＥＰＳベアラ識別子とをＮＡＳ層に通知しないステップとを含む。
【０１２５】
（１２）本発明の第１０の態様は、端末装置と通信する基地局装置に適用される通信方法であって、メッセージで指示されたＤＲＢが解放されたことと、前記解放されたＤＲＢのＥＰＳベアラ識別子とを前記端末装置のＮＡＳ層に通知させるためのメッセージとして第１のメッセージを生成し、前記メッセージで指示されたＤＲＢが解放されたことと、前記解放されたＤＲＢのＥＰＳベアラ識別子とを前記端末装置のＮＡＳ層に通知させないためのメッセージとして第２のメッセージを生成するステップと、無線ベアラの解放を指示するメッセージとして、前記第１のメッセージと前記第２のメッセージの何れかを送信するステップとを含む。
【０１２６】
（１３）本発明の第１１の態様は、端末装置に実装される集積回路であって、無線ベアラの解放を指示するメッセージとして、第１のメッセージと第２のメッセージの何れかを受信する機能と、前記第１のメッセージを受信した場合に、前記メッセージで指示されたＤＲＢが解放されたことと、前記解放されたＤＲＢのＥＰＳベアラ識別子とをＮＡＳ層に通知し、前記第２のメッセージを受信した場合に、前記メッセージで指示されたＤＲＢが解放されたことと、前記解放されたＤＲＢのＥＰＳベアラ識別子とをＮＡＳ層に通知しない機能とを前記端末装置に対して発揮させる。
【０１２７】
（１４）本発明の第１２の態様は、端末装置と通信する基地局装置に実装される集積回路であって、無線ベアラの解放を指示するメッセージとして、第１のメッセージと第２のメッセージの何れかを送信する機能と、前記メッセージで指示されたＤＲＢが解放されたことと、前記解放されたＤＲＢのＥＰＳベアラ識別子とを前記端末装置のＮＡＳ層に通知させるためのメッセージとして前記第１のメッセージを生成し、前記メッセージで指示されたＤＲＢが解放されたことと、前記解放されたＤＲＢのＥＰＳベアラ識別子とを前記端末装置のＮＡＳ層に通知させないためのメッセージとして前記第２のメッセージを生成する機能とを前記基地局装置に対して発揮させる。
【０１２８】
（１５）本発明の第１３の態様は、端末装置であって、無線ベアラの解放を指示する第１のメッセージおよび無線ベアラを追加する第２のメッセージを含む情報を受信する第１の処理部と、無線ベアラの解放を指示する第３のメッセージを含む情報を受信する第２の処理部とを備え、前記第１の処理部は、前記第１のメッセージと前記第２のメッセージに含まれる１または複数のＤＲＢの識別子が同じである場合に、前記１または複数のＤＲＢの識別子の情報を前記第２の処理部に通知し、前記第２の処理部は、前記第１の処理部から通知された前記１または複数のＤＲＢの識別子と同じ識別子のＤＲＢの追加指示が第３のメッセージに含まれる場合、前記同じ識別子のＤＲＢが解放されたことと、前記解放されたＤＲＢのＥＰＳベアラ識別子とを上位層に通知しない。
【０１２９】
（１６）本発明の第１３の態様において、前記第１のメッセージ、前記第２のメッセージ、および前記第３のメッセージがすべて同じＲＲＣトランザクション識別子のメッセージによって通知された場合に前記同じ識別子のＤＲＢが解放されたことと、前記解放されたＤＲＢのＥＰＳベアラ識別子とを上位層に通知しない。
【０１３０】
（１７）本発明の第１４の態様は、端末装置であって、データ無線ベアラ（ＤＲＢ）を追加するメッセージを受信する受信部と、前記メッセージに第１の情報が含まれない場合に、前記メッセージで指示されたＤＲＢが設立されたことと、前記設立されたＤＲＢのＥＰＳベアラ識別子とをＮＡＳ層に通知し、前記メッセージに前記第１の情報が含まれる場合に、前記メッセージで指示されたＤＲＢが設立されたことと、前記設立されたＤＲＢのＥＰＳベアラ識別子とを前記ＮＡＳ層に通知しない処理部とを備える。
【０１３１】
（１８）本発明の第１４の態様において、前記メッセージに前記第１の情報が含まれる場合に、設立されたＤＲＢと前記ＥＰＳベアラ識別子とを対応づける。
【０１３２】
（１９）本発明の第１４の態様において、前記第１の情報は、前記メッセージがＰＤＣＰ層のバージョン変更であることを示す。
【０１３３】
（２０）本発明の第１４の態様において、前記第１の情報は、前記メッセージで指示されたＤＲＢが設立されたことと、前記設立されたＤＲＢのＥＰＳベアラ識別子とをＮＡＳ層に通知しないことを指示する情報である。
【０１３４】
（２１）本発明の第１５の態様は、端末装置と通信する基地局装置であって、データ無線ベアラ（ＤＲＢ）を追加するメッセージを送信する送信部と、前記メッセージで指示されたＤＲＢが設立されたことと、前記設立されたＤＲＢのＥＰＳベアラ識別子とを前記端末装置のＮＡＳ層に通知させるか否かを指示する第１の情報を前記メッセージに含める処理部とを備える。
【０１３５】
（２２）本発明の第１６の態様は、端末装置に適用される通信方法であって、データ無線ベアラ（ＤＲＢ）を追加するメッセージを受信するステップと、前記メッセージに第１の情報が含まれない場合に、前記メッセージで指示されたＤＲＢが設立されたことと、前記設立されたＤＲＢのＥＰＳベアラ識別子とをＮＡＳ層に通知し、前記メッセージに前記第１の情報が含まれる場合に、前記メッセージで指示されたＤＲＢが設立されたことと、前記設立されたＤＲＢのＥＰＳベアラ識別子とを前記ＮＡＳ層に通知しないステップとを備える。
【０１３６】
（２３）本発明の第１７の態様は、端末装置と通信する基地局装置に適用される通信方法であって、データ無線ベアラ（ＤＲＢ）を追加するメッセージを送信するステップと、前記メッセージで指示されたＤＲＢが設立されたことと、前記設立されたＤＲＢのＥＰＳベアラ識別子とを前記端末装置のＮＡＳ層に通知させるか否かを指示する第１の情報を前記メッセージに含めるステップとを含む。
【０１３７】
（２４）本発明の第１８の態様は、端末装置に実装される集積回路であって、データ無線ベアラ（ＤＲＢ）を追加するメッセージを受信する機能と、前記メッセージに第１の情報が含まれない場合に、前記メッセージで指示されたＤＲＢが設立されたことと、前記設立されたＤＲＢのＥＰＳベアラ識別子とをＮＡＳ層に通知し、前記メッセージに前記第１の情報が含まれる場合に、前記メッセージで指示されたＤＲＢが設立されたことと、前記設立されたＤＲＢのＥＰＳベアラ識別子とを前記ＮＡＳ層に通知しない機能とを前記端末装置に対して発揮させる。
【０１３８】
（２５）本発明の第１９の態様は、端末装置と通信する基地局装置に実装される集積回路であって、データ無線ベアラ（ＤＲＢ）を追加するメッセージを送信する機能と、前記メッセージで指示されたＤＲＢが設立されたことと、前記設立されたＤＲＢのＥＰＳベアラ識別子とを前記端末装置のＮＡＳ層に通知させるか否かを指示する第１の情報を前記メッセージに含める機能とを前記基地局装置に対して発揮させる。
【０１３９】
（２６）本発明の第２０の態様は、端末装置であって、無線ベアラの追加を指示するメッセージとして、第１のメッセージと第２のメッセージの何れかを受信する受信部と、前記第１のメッセージを受信した場合に、前記メッセージで指示されたＤＲＢが設立されたことと、前記設立されたＤＲＢのＥＰＳベアラ識別子とをＮＡＳ層に通知し、前記第２のメッセージを受信した場合に、前記メッセージで指示されたＤＲＢが設立されたことと、前記設立されたＤＲＢのＥＰＳベアラ識別子とをＮＡＳ層に通知しない処理部とを備える。
【０１４０】
（２７）本発明の第２１の態様は、端末装置と通信する基地局装置であって、無線ベアラの追加を指示するメッセージとして、第１のメッセージと第２のメッセージの何れかを送信する送信部と、前記メッセージで指示されたＤＲＢが設立されたことと、前記設立されたＤＲＢのＥＰＳベアラ識別子とを前記端末装置のＮＡＳ層に通知させるためのメッセージとして前記第１のメッセージを生成し、前記メッセージで指示されたＤＲＢが設立されたことと、前記設立されたＤＲＢのＥＰＳベアラ識別子とを前記端末装置のＮＡＳ層に通知させないためのメッセージとして前記第２のメッセージを生成する処理部とを備える。
【０１４１】
（２８）本発明の第２２の態様は、端末装置に適用される通信方法であって、無線ベアラの追加を指示するメッセージとして、第１のメッセージと第２のメッセージの何れかを受信するステップと、前記第１のメッセージを受信した場合に、前記メッセージで指示されたＤＲＢが設立されたことと、前記設立されたＤＲＢのＥＰＳベアラ識別子とをＮＡＳ層に通知し、前記第２のメッセージを受信した場合に、前記メッセージで指示されたＤＲＢが設立されたことと、前記設立されたＤＲＢのＥＰＳベアラ識別子とをＮＡＳ層に通知しないステップとを含む。
【０１４２】
（２９）本発明の第２３の態様は、端末装置と通信する基地局装置に適用される通信方法であって、メッセージで指示されたＤＲＢが設立されたことと、前記設立されたＤＲＢのＥＰＳベアラ識別子とを前記端末装置のＮＡＳ層に通知させるためのメッセージとして第１のメッセージを生成し、前記メッセージで指示されたＤＲＢが設立されたことと、前記設立されたＤＲＢのＥＰＳベアラ識別子とを前記端末装置のＮＡＳ層に通知させないためのメッセージとして第２のメッセージを生成するステップと、無線ベアラの追加を指示するメッセージとして、前記第１のメッセージと前記第２のメッセージの何れかを送信するステップとを含む。
【０１４３】
（３０）本発明の第２４の態様は、端末装置に実装される集積回路であって、無線ベアラの追加を指示するメッセージとして、第１のメッセージと第２のメッセージの何れかを受信する機能と、前記第１のメッセージを受信した場合に、前記メッセージで指示されたＤＲＢが設立されたことと、前記設立されたＤＲＢのＥＰＳベアラ識別子とをＮＡＳ層に通知し、前記第２のメッセージを受信した場合に、前記メッセージで指示されたＤＲＢが設立されたことと、前記設立されたＤＲＢのＥＰＳベアラ識別子とをＮＡＳ層に通知しない機能とを前記端末装置に対して発揮させる。
【０１４４】
（３１）本発明の第２５の態様は、端末装置と通信する基地局装置に実装される集積回路であって、無線ベアラの追加を指示するメッセージとして、第１のメッセージと第２のメッセージの何れかを送信する機能と、前記メッセージで指示されたＤＲＢが設立されたことと、前記設立されたＤＲＢのＥＰＳベアラ識別子とを前記端末装置のＮＡＳ層に通知させるためのメッセージとして前記第１のメッセージを生成し、前記メッセージで指示されたＤＲＢが設立されたことと、前記設立されたＤＲＢのＥＰＳベアラ識別子とを前記端末装置のＮＡＳ層に通知させないためのメッセージとして前記第２のメッセージを生成する機能とを前記基地局装置に対して発揮させる。
【０１４５】
（３２）本発明の第２６の態様は、端末装置であって、無線ベアラの追加を指示する第１のメッセージおよび無線ベアラを追加する第２のメッセージを含む情報を受信する第１の処理部と、無線ベアラの設立を指示する第３のメッセージを含む情報を受信する第２の処理部とを備え、前記第１の処理部は、前記第１のメッセージと前記第２のメッセージに含まれる１または複数のＤＲＢの識別子が同じである場合に、前記１または複数のＤＲＢの識別子の情報を前記第２の処理部に通知し、前記第２の処理部は、前記第１の処理部から通知された前記１または複数のＤＲＢの識別子と同じ識別子のＤＲＢの追加指示が第３のメッセージに含まれる場合、前記同じ識別子のＤＲＢが設立されたことと、前記設立されたＤＲＢのＥＰＳベアラ識別子とを上位層に通知しない。
【０１４６】
（３３）本発明の第２６の態様において、前記第１のメッセージ、前記第２のメッセージ、および前記第３のメッセージがすべて同じＲＲＣトランザクション識別子のメッセージによって通知された場合に前記同じ識別子のＤＲＢが設立されたことと、前記設立されたＤＲＢのＥＰＳベアラ識別子とを上位層に通知しない。
【０１４７】
（３４）本発明の第２７の態様は、一つ又は複数の基地局装置と通信と行う端末装置であって、前記基地局装置からＲＲＣ再設定メッセージを受信し、前記ＲＲＣ再設定メッセージに、解放するＤＲＢのＤＲＢ識別子のリストを含み前記ＲＲＣ再設定メッセージに、ＰＤＣＰバージョンチェンジである事を示す情報を含まない場合には、前記ＤＲＢ識別子に対応するＥＰＳベアラ識別子、及びＤＲＢの解放情報を、上位レイヤに通知する。
【０１４８】
（３５）本発明の第２８の態様は、一つ又は複数の基地局装置と通信と行う端末装置であって、前記基地局装置からＤＲＢ設定を含むＲＲＣ再設定メッセージを受信し、前記ＤＲＢ設定に、ＤＲＢ識別子及びＥＰＳベアラ識別子が含まれ、前記ＤＲＢ識別子が、前記端末装置の現在の設定の一部ではない場合で、前記ＲＲＣ再設定メッセージにＰＤＣＰバージョンチェンジである事を示す情報を含む場合には、前記ＤＲＢ設定に従って確立したＤＲＢと、前記ＥＰＳベアラ識別子とを関連付ける。
【０１４９】
（３６）本発明の第２９の態様は、一つ又は複数の基地局装置と通信と行う端末装置であって、前記基地局装置からＲＲＣ再設定メッセージを受信し、前記ＲＲＣ再設定メッセージに、解放するＤＲＢのＤＲＢ識別子のリストを含み、前記ＤＲＢ識別子に対し、解放を通知する指示がセットされていた場合には、前記ＤＲＢ識別子に対応するＥＰＳベアラ識別子、及びＤＲＢの解放情報を、上位レイヤに通知する。
【０１５０】
（３７）本発明の第３０の態様は、一つ又は複数の基地局装置と通信と行う端末装置であって、前記基地局装置からＤＲＢ設定を含むＲＲＣ再設定メッセージを受信し、前記ＤＲＢ設定に、ＤＲＢ識別子及びＥＰＳベアラ識別子が含まれ、前記ＤＲＢ識別子が、前記端末装置の現在の設定の一部ではない場合で、前記ＤＲＢ設定に、関連付けの指示がセットされていた場合には、前記ＤＲＢ設定に従って確立したＤＲＢと、前記ＥＰＳベアラ識別子とを関連付ける。
【０１５１】
（３８）本発明の第３１の態様は、一つ又は複数の基地局装置と通信と行う端末装置であって、前記基地局装置からＲＲＣ再設定メッセージを受信し、前記ＲＲＣ再設定メッセージに、ＤＲＢ解放追加設定を含み、前記ＤＲＢ解放追加設定に、ＤＲＢ識別子を含み、前記ＤＲＢ識別子が、前記端末装置の現在の設定の一部である場合には、前記ＤＲＢ識別子に対応するＤＲＢのＰＤＣＰエンティティを解放する。
【０１５２】
（３９）本発明の第３２の態様は、一つ又は複数の基地局装置と通信と行う端末装置であって、前記基地局装置からＲＲＣ再設定メッセージを受信し、前記ＲＲＣ再設定メッセージに、ＤＲＢ解放追加設定を含み、前記ＤＲＢ解放追加設定に、ＤＲＢ識別子及びＥＰＳベアラ識別子を含み、前記ＤＲＢ識別子が、前記端末装置の現在の設定の一部でない場合には、前記ＤＲＢ解放追加設定に含まれるＰＤＣＰ設定に従ってＰＤＣＰエンティティを確立し、前記ＤＲＢ解放追加設定に含まれるセキュリティ設定のアルゴリズムで前記ＰＤＣＰエンティティを設定し、前記ＤＲＢ解放追加設定に従って確立されたＤＲＢと、前記ＥＰＳベアラ識別子とを対応付ける。
【０１５３】
（４０）本発明の第３３の態様は、一つ又は複数の基地局装置と通信と行う端末装置であって、前記基地局装置からＲＲＣ再設定メッセージを受信し、前記ＲＲＣ再設定メッセージに、解放するＤＲＢのＤＲＢ識別子のリストを含み、前記ＤＲＢ識別子に対応するＥＰＳベアラ識別子に対する、新しいＤＲＢ確立に関する通知を、Ｅ−ＵＴＲＡ  ＲＲＣエンティティから受け取っていない場合には、前記ＤＲＢ識別子に対応するＥＰＳベアラ識別子、及びＤＲＢの解放情報を、上位レイヤに通知する。
【０１５４】
（４１）本発明の第３４の態様は、一つ又は複数の基地局装置と通信と行う端末装置であって、前記基地局装置からＤＲＢ設定を含むＲＲＣ再設定メッセージを受信し、前記Ｄ
ＲＢ設定に、ＤＲＢ識別子及びＥＰＳベアラ識別子が含まれ、前記ＤＲＢ識別子が、前記端末装置の現在の設定の一部ではない場合で、前記ＥＰＳベアラ識別子に対する、新しいＤＲＢ確立に関する通知を、Ｅ−ＵＴＲＡ  ＲＲＣエンティティから受け取った場合には、前記ＤＲＢ設定に従って確立したＤＲＢと、前記ＥＰＳベアラ識別子とを関連付ける。
【０１５５】
このように、本発明の実施の形態によれば、基地局装置（ｅＮＢ１０２、ｇＮＢ１０８）は、ＤＲＢ設定に必要な情報を端末装置（ＵＥ１２２）に通知でき、端末装置（ＵＥ１２２）は、ＤＲＢ設定を正しく行う事ができ、効率的に通信を行うことができる。
【０１５６】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。なお、ＦＤＤのキャリア（周波数）をペアドキャリア（Ｐａｉｒｅｄ  ｃａｒｒｉｅｒ）、ＴＤＤのキャリア（周波数）をアンペアドキャリア（Ｕｎｐａｉｒｅｄ  ｃａｒｒｉｅｒ）と称してもよい。すなわち、ＦＤＤがＰａｉｒｅｄと同義であり、ＴＤＤがＵｎｐａｉｒｅｄと同義であってもよい。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０１５７】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０１５８】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１５９】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【０１６０】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【０１６１】
また、上述した実施形態に用いた装置の各機能ブロック、または諸特徴は、電気回路、
すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１６２】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１６３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【符号の説明】
【０１６４】
１００  Ｅ−ＵＴＲＡ
１０２  ｅＮＢ
１０４  ＥＰＣ
１０６  ＮＲ
１０８  ｇＮＢ
１１０  ５ＧＣ
１１２、１１４、１１６，１１８、１２０、１２４  インタフェース
１２２  ＵＥ
２００、３００  ＰＨＹ
２０２、３０２  ＭＡＣ
２０４、３０４  ＲＬＣ
２０６、３０６  ＰＤＣＰ
２０８、３０８  ＲＲＣ
３１０  ＳＤＡＰ
５００  受信部
５０２、６０２  処理部
６００  送信部
【図１】
2019121835.tif 000003
【図２】
2019121835.tif 000004
【図３】
2019121835.tif 000005
【図４】
2019121835.tif 000006
【図５】
2019121835.tif 000007
【図６】
2019121835.tif 000008
【図７】
2019121835.tif 000009
【図８】
2019121835.tif 000010
【図９】
2019121835.tif 000011
【図１０】
2019121835.tif 000012
【図１１】
2019121835.tif 000013
【図１２】
2019121835.tif 000014
【図１３】
2019121835.tif 000015
【図１４】
2019121835.tif 000016
【図１５】
2019121835.tif 000017
【図１６】
2019121835.tif 000018